(57)【要約】【課題】移動手段関連対象と他のサービスとの利用を連携、促進させる課金装置を提供する。【解決手段】移動手段関連対象の対象識別子とこれを利用するユーザのユーザ識別子とを有する対象管理情報が格納される対象管理情報格納部１０１と、ユーザ識別子と、ユーザが利用するサービスのサービス提供者識別子とを有する提供者管理情報を受信する提供者受信部１０２と、対象管理情報の対象識別子が示す移動手段関連対象を同対象管理情報のユーザ識別子が示すユーザが利用した場合に移動手段関連対象の利用料金の課金に関する課金処理を行う課金処理部１０５とを備え、課金処理部１０５は、提供者受信部１０２が課金対象となる移動手段関連対象のユーザのユーザ識別子を有する提供者管理情報を受信した場合に、移動手段関連対象の利用料金の少なくとも一部を提供者管理情報が有する提供者識別子が示すサービス提供者に課金するための課金処理を行う。【選択図】図１
2020194235.tif 000002
【特許請求の範囲】
【請求項１】
移動手段に関連した移動手段関連対象の対象識別子と、当該対象識別子が示す移動手段関連対象を利用するユーザのユーザ識別子と、を有する対象管理情報が格納される対象管理情報格納部と、
ユーザ識別子と、当該ユーザ識別子が示すユーザが利用するサービスの提供者のサービス提供者識別子とを有する１または２以上の提供者管理情報を受信する提供者受信部と、
前記対象管理情報格納部に格納されている対象管理情報が有する対象識別子が示す移動手段関連対象を、当該対象管理情報が有するユーザ識別子が示すユーザが利用する場合に、前記移動手段関連対象の利用料金の課金に関する処理である課金処理を行う課金処理部とを備え、
前記課金処理部は、前記提供者受信部が、課金対象となる移動手段関連対象を利用するユーザのユーザ識別子を有する提供者管理情報を受信した場合に、当該移動手段関連対象の利用料金の少なくとも一部を当該提供者管理情報が有する提供者識別子が示すサービス提供者に課金し、当該サービス提供者に課金する利用料金を除いた利用料金を当該移動手段関連対象を利用するユーザに課金するための課金処理を行う課金装置。
【請求項２】
前記課金処理部は、前記提供者受信部が、課金対象となる移動手段関連対象を利用するユーザのユーザ識別子を有する提供者管理情報を受信していない場合に、当該移動手段関連対象の利用料金を当該移動手段関連対象を利用したユーザに課金するための課金処理を行う請求項１記載の課金装置。
【請求項３】
予約対象となる移動手段関連対象の対象識別子と、予約を行うユーザのユーザ識別子とを有する予約情報を受信する予約情報受信部と、
前記予約受信部が受信した予約情報が有する対象識別子とユーザ識別子とを有する対象管理情報を、前記対象管理情報格納部に蓄積する対象管理情報蓄積部とを備えた請求項１または請求項２記載の課金装置。
【請求項４】
ユーザ識別子と、サービス提供者識別子と、ユーザの属性を示すユーザ属性情報とを有するユーザ属性管理情報が格納されるユーザ属性格納部を更に備え、
前記課金処理部は、前記提供者受信部が、課金対象となる移動手段関連対象を利用するユーザのユーザ識別子を有する提供者管理情報を受信した場合に、当該提供者管理情報が有するユーザ識別子およびサービス提供者識別子に対応するユーザ属性情報を前記ユーザ属性管理情報を用いて取得し、取得したユーザ属性情報に応じて、前記移動手段関連対象の利用料金のうちの、当該課金処理部がサービス提供者に課金する少なくとも一部の利用料金を決定する請求項１から請求項３いずれか１項記載の課金装置。
【請求項５】
移動手段に関連した移動手段関連対象の対象識別子と、当該対象識別子が示す移動手段関連対象を利用するユーザのユーザ識別子と、を有する対象管理情報が格納される対象管理情報格納部と、提供者受信部と、課金処理部とを用いて行われる課金方法であって、
前記提供者受信部が、ユーザ識別子と、当該ユーザ識別子が示すユーザが利用するサービスの提供者のサービス提供者識別子とを有する提供者管理情報を受信する提供者受信ステップと、
前記課金処理部が、前記対象管理情報格納部に格納されている対象管理情報が有する対象識別子が示す移動手段関連対象を、当該対象管理情報が有するユーザ識別子が示すユーザが利用する場合に、前記移動手段関連対象の利用料金の課金に関する処理である課金処理を行う課金処理ステップとを備え、
前記課金処理ステップは、前記提供者受信ステップにおいて、課金対象となる移動手段関連対象を利用するユーザのユーザ識別子を有する提供者管理情報を受信した場合に、当該移動手段関連対象の利用料金の少なくとも一部を当該提供者管理情報が有する提供者識別子が示すサービス提供者に課金し、当該サービス提供者に課金する利用料金を除いた利用料金を当該移動手段関連対象を利用するユーザに課金するための課金処理を行う課金方法。
【請求項６】
移動手段に関連した移動手段関連対象の対象識別子と、当該対象識別子が示す移動手段関連対象を利用するユーザのユーザ識別子と、を有する対象管理情報が格納される対象管理情報格納部にアクセス可能なコンピュータを、
ユーザ識別子と、当該ユーザ識別子が示すユーザが利用するサービスの提供者のサービス提供者識別子とを有する提供者管理情報を受信する提供者受信部と、
前記対象管理情報格納部に格納されている対象管理情報が有する対象識別子が示す移動手段関連対象を、当該対象管理情報が有するユーザ識別子が示すユーザが利用する場合に、前記移動手段関連対象の利用料金の課金に関する処理である課金処理を行う課金処理部として機能させ、
前記課金処理部は、前記提供者受信部が、課金対象となる移動手段関連対象を利用するユーザのユーザ識別子を有する提供者管理情報を受信した場合に、当該移動手段関連対象の利用料金の少なくとも一部を当該提供者管理情報が有する提供者識別子が示すサービス提供者に課金し、当該サービス提供者に課金する利用料金を除いた利用料金を当該移動手段関連対象を利用するユーザに課金するための課金処理を行うプログラム。
【発明の詳細な説明】
【技術分野】
【０００１】
本発明は、課金処理を行う装置等に関するものである。
【背景技術】
【０００２】
従来の技術として、対象エリアにおける対象日の予約状況に基づいてカーシェアリング会員に対する販売促進プランを演算する販促プラン演算手段と、その販売促進プランの対象となる会員データを会員データベースから抽出して販売促進プランに係るデータを送信する販促プラン出力手段と、を備えるものが知られていた（例えば、特許文献１参照）。
【先行技術文献】
【特許文献】
【０００３】
【特許文献１】特開２０１８−９２３９７号公報（第１頁、第１図等）
【発明の概要】
【発明が解決しようとする課題】
【０００４】
しかしながら、従来の技術においては、ユーザによるカーシェアや駐車場等の、移動手段に関連した対象の利用と、他のサービスの利用とを連携させて促進させることができない、という課題があった。
【０００５】
本発明は、上記のような課題を解消するためになされたものであり、移動手段に関連した対象の利用と、他のサービスの利用とを連携させて促進させることができる課金装置等を提供することを目的とする。
【課題を解決するための手段】
【０００６】
本発明の課金装置は、移動手段に関連した移動手段関連対象の対象識別子と、対象識別子が示す移動手段関連対象を利用するユーザのユーザ識別子と、を有する１または２以上の対象管理情報が格納される対象管理情報格納部と、ユーザ識別子と、ユーザ識別子が示すユーザが利用するサービスの提供者のサービス提供者識別子とを有する提供者管理情報を受信する提供者受信部と、対象管理情報格納部に格納されている対象管理情報が有する対象識別子が示す移動手段関連対象を、対象管理情報が有するユーザ識別子が示すユーザが利用する場合に、移動手段関連対象の利用料金の課金に関する処理である課金処理を行う課金処理部とを備え、課金処理部は、提供者受信部が、課金対象となる移動手段関連対象を利用するユーザのユーザ識別子を有する提供者管理情報を受信した場合に、移動手段関連対象の利用料金の少なくとも一部を提供者管理情報が有する提供者識別子が示すサービス提供者に課金し、当該サービス提供者に課金する利用料金を除いた利用料金を移動手段関連対象を利用するユーザに課金するための課金処理を行う課金装置である。
【０００７】
かかる構成により、サービス提供者が提供するサービスを利用する場合に、移動手段関連対象の利用料金の少なくとも一部を、サービス提供者に課金させる、すなわちサービス提供者に負担させることによって、両方を利用することでユーザに課金される利用料金を減らすことができるため、移動手段関連対象の利用と、他のサービスの利用とを連携させて促進させることができることができる。
【０００８】
また、本発明の課金装置は、前記課金装置において、課金処理部は、提供者受信部が、課金対象となる移動手段関連対象を利用するユーザのユーザ識別子を有する提供者管理情報を受信していない場合に、移動手段関連対象の利用料金を、移動手段関連対象を利用したユーザに課金するための課金処理を行うようにしてもよい。
【０００９】
かかる構成により、サービス提供者が提供するサービスを利用しない場合、移動手段関連対象を利用した利用料金をユーザが払うこととなるため、サービス提供者が提供するサービスの利用を促進させることができる。
【００１０】
また、本発明の課金装置は、前記課金装置において、予約対象となる移動手段関連対象の対象識別子と、予約を行うユーザのユーザ識別子とを有する予約情報を受信する予約情報受信部と、予約受信部が受信した予約情報が有する対象識別子とユーザ識別子とを有する対象管理情報を、対象管理情報格納部に蓄積する対象管理情報蓄積部とを備えるようにしてもよい。
【００１１】
かかる構成により、予約された移動手段関連対象の利用料金の少なくとも一部を、サービス提供者に課金させることができ、移動手段関連対象の予約による利用と、他のサービスの利用とを連携させて促進させることができることができる。
【００１２】
また、本発明の課金装置は、前記課金装置において、ユーザ識別子と、サービス提供者識別子と、ユーザの属性を示すユーザ属性情報とを有するユーザ属性管理情報が格納されるユーザ属性格納部を更に備え、課金処理部は、提供者受信部が、課金対象となる移動手段関連対象を利用するユーザのユーザ識別子を有する提供者管理情報を受信した場合に、提供者管理情報が有するユーザ識別子およびサービス提供者識別子に対応するユーザ属性情報をユーザ属性管理情報を用いて取得し、取得したユーザ属性情報に応じて、移動手段関連対象の利用料金のうちの、当該課金処理部がサービス提供者に課金する少なくとも一部の利用料金を決定する課金装置してもよい。
【００１３】
かかる構成により、サービス提供者が提供するサービスの利用に関するユーザの属性に応じて、ユーザの移動手段関連対象の利用料金の、ユーザに課金される金額を変更することができる。
【発明の効果】
【００１４】
本発明による課金装置等によれば、移動手段関連対象の利用と、他のサービスの利用とを連携させて促進させることができる。
【図面の簡単な説明】
【００１５】
【図１】本発明の実施の形態における課金システムの構成を示すブロック図
【図２】同実施の形態における課金装置の動作を説明するためのフローチャート
【図３】同実施の形態における課金システムの構成を示す模式図
【図４】同実施の形態における課金装置の対象管理表の一例を示す図
【図５】同実施の形態における課金装置の提供者管理表の一例を示す図
【図６】同実施の形態における課金装置のユーザ属性管理表の一例を示す図
【図７】同実施の形態における課金装置の属性料金管理表の一例を示す図
【図８】同実施の形態における課金装置のユーザ課金用管理表の一例を示す図（図８（ａ）、およびサービス提供者課金用管理表の一例を示す図（図８（ｂ））
【図９】同実施の形態におけるコンピュータシステムの外観の一例を示す図
【図１０】同実施の形態におけるコンピュータシステムの構成の一例を示す図
【発明を実施するための形態】
【００１６】
以下、課金装置等の実施形態について図面を参照して説明する。なお、実施の形態において同じ符号を付した構成要素は同様の動作を行うので、再度の説明を省略する場合がある。
【００１７】
（実施の形態）
図１は、本実施の形態における課金システム１のブロック図である。
【００１８】
課金システム１は、課金装置１０、１または２以上のユーザ端末２０、および１または２以上の提供者サーバ装置３０を備える。課金装置１０、１または２以上のユーザ端末２０、および１または２以上の提供者サーバ装置３０は、例えば、情報の通信が可能となるよう有線または無線のネットワーク等を介して接続される。ここでは、３以上のユーザ端末２０、および３以上の提供者サーバ装置３０を備えている場合を例に挙げて説明する。３以上のユーザ端末２０は、いずれも同様の構成を有しているものとする。かかることは、３以上の提供者サーバ装置３０についても同様である。図においては、３以上のユーザ端末２０の一部、および３以上の提供者サーバ装置３０の一部を、それぞれ、ユーザ端末２０ａ〜２０ｃ等、提供者サーバ装置３０ａ〜３０ｃ等で表している。ただし、これらを区別しないで呼ぶ場合、それぞれを単に、ユーザ端末２０、および提供者サーバ装置３０と呼ぶ。
【００１９】
課金装置１０は、対象管理情報格納部１０１、提供者受信部１０２、提供者管理情報格納部１０３、移動対象利用受信部１０４、課金処理部１０５、ユーザ属性格納部１０６、属性料金格納部１０７、予約情報受信部１０８、および対象管理情報蓄積部１０９を備える
【００２０】
ユーザ端末２０は、ユーザ受信部２０１、ユーザ受付部２０２、ユーザ送信部２０３、ユーザ表示部２０４を備える。
【００２１】
提供者サーバ装置３０は、提供者受付部３０１、提供者管理情報送信部３０２を備える。
【００２２】
課金装置１０は、例えば、コンピュータやサーバ装置等により実現される。ただし、専用のハードウェアで実現してもよい。
【００２３】
対象管理情報格納部１０１には、１または２以上の対象管理情報が格納される。対象管理情報は、移動手段に関連した移動手段関連対象の対象識別子と、対象識別子が示す移動手段関連対象を利用するユーザのユーザ識別子と、を有する情報である。移動手段とは、例えば、自動車や自動二輪、自転車、電車、船舶、飛行機等である。移動手段は、移動体と考えてもよい。移動手段関連対象は、例えば、移動手段に関連して提供されるユーザが利用可能なサービスやものである。移動手段に関連して提供されるユーザが利用可能なサービスを、以下、移動関連サービスと呼ぶ。移動手段関連対象とは、カーシェアリングや、レンタカー等の、ユーザに対して自動車等の移動手段を提供する移動関連サービスや、このカーシェアリングや、レンタカー等のサービスで提供される自動車等の移動手段であってもよい。また、移動手段関連対象とは、送迎サービスや自動車配車サービスやタクシー等の移動手段を用いて提供される移動関連サービスであってもよく、移動手段の利用に伴って利用される駐車場や、駐輪場等を提供する移動関連サービスであってもよい。移動関連サービスは、後述するサービス提供者識別子が示すサービス提供者が提供するサービス（以下、提供者サービスと称す）を利用する際に利用される移動手段に関連する移動手段関連対象であることが好ましい。例えば、移動手段関連対象は、提供者サービスを提供する場所にユーザが移動する際に利用する移動手段を提供する移動関連サービスやこの移動手段であることや、提供者サービスを提供する場所やその近傍に設けられた駐車場や、駐機場、係留場、飛行機や船舶の保管所等の移動関連サービスや、この駐車場や、駐機場、係留場等であることが好ましい。後述するサービス提供者識別子が示すサービス提供者が提供する提供者サービスは、例えば、上述した移動手段関連対象である移動関連サービスとは異なるサービスである。ただし、サービス提供者識別子が示すサービス提供者が提供するサービスは、対象管理情報が有する対象識別子が示す移動関連サービスとは異なる移動関連サービスであってもよい。対象識別子は、移動手段関連対象を識別可能な情報である。対象識別子は、例えば、移動手段関連対象に割当てられたコードや、移動手段関連対象の名称等である。対象識別子は、移動手段関連対象が移動手段をユーザに提供するものである場合、移動手段を識別する自動車のナンバー等の文字列（例えば、番号）等を有していてもよい。移動手段関連対象が駐車場等である場合、対象識別子は、駐車場の識別子や、駐車スペースの識別子（例えば、番号）等を有していてもよい。対象識別子は、移動手段関連対象を提供する提供者の識別子等を有していてもよい。
【００２４】
ユーザ識別子が示すユーザは、例えば、移動関連対象を利用するユーザである。ユーザ識別子は、ユーザを識別可能な情報である。ユーザ識別子は、例えば、ユーザの会員番号等のユーザに割当てられたコードであってもよく、ユーザのメールアドレスや携帯電話番号等であってもよく、ユーザのクレジットカード番号やデビッドカード番号等であってもよい。ユーザ識別子は、ユーザのクレジットカード番号や、ユーザの口座番号や、ユーザの電子マネーの支払に利用可能な識別情報等の、ユーザに対して課金を行なう際に用いられる課金先であるユーザに関する情報、または、このような課金を行なう際に用いられる課金先であるユーザに関する情報と対応付けられた情報であることが好ましい。ユーザに対して課金を行なう際に用いられる課金先であるユーザに関する情報を、以下、ユーザ課金用情報と称す。ユーザ課金用情報は、課金する利用料金を含まない情報である。なお、ユーザ識別子が、ユーザ課金用情報と対応付けられた情報である場合、このユーザ課金用情報と、ユーザ識別子との対応付けを管理する情報（例えば、ユーザ課金用情報と、ユーザ識別子とを有するユーザ課金管理情報等）は、課金装置１０が有していてもよく、図示しない課金を行うサーバ装置等が有していてもよい。この対応付けを管理する情報を課金装置１０が有している場合、後述する課金処理部１０５等が、ユーザに対して課金を行う際に、課金の対象となるユーザのユーザ識別子と対応付けられたユーザ課金用情報を、この対応付けを管理する情報から取得するようにすればよい。また、対象管理情報が、上記のようなユーザ課金用情報をさらに有しているようにしてもよい。
【００２５】
対象管理情報は、移動手段関連対象を予約するために用いられる予約情報であってもよい。例えば、予約情報である対象管理情報は、ユーザ識別子を移動手段関連対象を予約するユーザのユーザ識別子として有し、対象識別子を、このユーザが予約する移動手段関連対象の対象識別子として有する情報であって、更に、予約日時を有する情報であってもよい。ここでの予約日時は、予約日時を示す情報と考えてもよい。予約日時は、移動手段関連対象を利用する予定の日時である。予約日時は、利用を開始する日時であってもよく、利用する期間を示す情報（例えば、利用開始時と利用終了時との組や、利用開始時と利用時間との組）であってもよい。ただし、予約が当日分の予約に限られている場合であって、予約を行う際に、利用する時間帯や時刻の指定が不要な場合等においては、予約日時の情報は省略しても良い。本実施の形態においては、予約情報受信部１０８が受信した予約情報が、対象管理情報蓄積部１０９により対象管理情報として対象管理情報格納部１０１に蓄積される場合について説明する。
【００２６】
対象管理情報は、対象管理情報を識別する対象管理識別子をさらに有していてもよい。対象管理情報が予約情報である場合、対象管理識別子は、予約情報を識別する予約識別子等と考えてもよい。対象管理識別子は、対象管理情報蓄積部１０９等が対象管理情報を対象管理情報格納部１０１に蓄積する際に対象管理情報に付与してもよく、蓄積を行う対象管理情報に予め含まれていても良い。例えば、予約情報受信部１０８が、予約識別子を有する予約情報を受信して、対象管理情報蓄積部１０９が、この予約情報を対象管理情報として対象管理情報格納部１０１に蓄積してもよく、予約情報受信部１０８が予約情報を受信して、対象管理情報蓄積部１０９が、この予約情報に予約識別子である対象管理識別子を付加した予約情報を対象管理情報として対象管理情報格納部１０１に蓄積してもよい。予約識別子は、例えば、予約番号等である。
【００２７】
本実施の形態においては、後述する対象管理情報蓄積部１０９により、対象管理情報格納部１０１に対象管理情報が蓄積される場合について説明する。ただし、どのように対象管理情報格納部１０１に対象管理情報が蓄積されるかはこれに限定されるものではない。
【００２８】
対象管理情報格納部１０１に対象管理情報が蓄積されるタイミングやトリガー等は問わない。例えば、移動手段関連対象を利用する予約を行うための予約情報を予約情報受信部１０８が受信した場合に、この予約情報が有する予約の対象となる移動手段関連対象の対象識別子と、予約したユーザのユーザ識別子と、予約日時等とを有する対象管理情報が、後述する対象管理情報蓄積部１０９等により蓄積されてもよい。また、例えば、後述する移動対象利用受信部１０４が移動対象利用情報を受信した場合に、この移動対象利用情報が有する対象識別子と、ユーザ識別子とを有する対象管理情報が、移動対象利用受信部１０４や対象管理情報蓄積部１０９により、対象管理情報格納部１０１に蓄積されるようにしてもよい。例えば、ユーザによる移動手段関連対象の利用が開始された場合や、利用が終了した場合に、後述する移動対象利用受信部１０４が、この移動手段関連対象の対象識別子と、この移動手段関連対象を利用するユーザのユーザ識別子とを有する移動対象利用情報を、ユーザ端末２０や、移動手段関連対象の利用を管理する装置（図示せず）等から受信するようにし、受信した移動対象利用情報が有する対象識別子と、ユーザ識別子とを有する対象管理情報が、後述する移動対象利用受信部１０４や後述する対象管理情報蓄積部１０９等により対象管理情報格納部１０１に蓄積されるようにしてもよい。また、例えば、移動手段関連対象の利用についての課金を行う直前等に、後述する移動対象利用受信部１０４が、この移動手段関連対象の対象識別子と、移動手段関連対象を利用するユーザのユーザ識別子とを有する移動対象利用情報を、ユーザ端末２０や、移動手段関連対象の利用を管理する装置（図示せず）等から受信するようにし、受信した移動対象利用情報が有する対象識別子と、ユーザ識別子とを有する対象管理情報が、後述する移動対象利用受信部１０４や後述する対象管理情報蓄積部１０９等により対象管理情報格納部１０１に蓄積されるようにしてもよい。課金を行う直前等の対象管理情報の蓄積は、一時記憶等であってもよい。
【００２９】
ここでの格納は一時的な記憶でもよく、長期的な記憶であってもよい。対象管理情報格納部１０１は、不揮発性の記録媒体が好適であるが、揮発性の記録媒体でも実現可能である。なお、かかることは、他の格納部等においても同様である。
【００３０】
提供者受信部１０２は、１または２以上の提供者管理情報を受信する。提供者管理情報は、ユーザ識別子と、このユーザ識別子が示すユーザが利用するサービスの提供者（以下、サービス提供者と称す）のサービス提供者識別子とを有する情報である。ここでのユーザが利用するサービスは、例えば、上述した提供者サービスである。提供者管理情報は、例えば、ユーザ識別子が示すユーザが、サービス提供者識別子が示すサービス提供者が提供する提供者サービスの利用を予約したこと、提供者サービスの利用を開始したこと、または提供者サービスの利用を完了したことを示す情報である。提供者サービスの利用の完了は、提供者サービスに対する代価の支払を完了したことであってもよい。提供者サービスは、通常、有料のサービスである。提供者サービスは、例えば、商業施設や宿泊施設等の施設の利用を提供するサービスである。例えば、提供者サービスは、ゴルフ場、球場、遊園地、スポーツジム、映画館、ホテル、旅館等の利用を提供するサービスである。提供者サービスは、例えば、上述した対象識別子が示す移動手段関連対象である移動関連サービスとは異なるサービスである。提供者サービスは、例えば、移動関連サービス以外のサービスである。
【００３１】
サービス提供者は、例えば、上記のような施設をユーザに提供する企業や組織等である。サービス提供者識別子は、サービス提供者を識別可能な情報である。サービス提供者識別子は、例えば、サービス提供者に割当てられたコードやサービス提供者の電話番号やメールアドレス等である。
【００３２】
提供者受信部１０２は、例えば、サービス提供者が利用する提供者サーバ装置３０やユーザ端末１０等の装置から、提供者管理情報を受信する。提供者受信部１０２は、これらの装置から、提供者管理情報を直接受信してもよく、間接的に受信してもよい。提供者受信部１０２は、例えば、ユーザが、サービス提供者が提供する提供者サービスを予約した場合に、このユーザのユーザ識別子と、サービス提供者のサービス提供者識別子とを有する提供者管理情報を受信してもよく、例えば、ユーザが、サービス提供者が提供する提供者サービスの利用を開始した場合や、利用を終了した場合に、このユーザのユーザ識別子と、サービス提供者のサービス提供者識別子とを有する提供者管理情報を受信してもよい。なお、提供者受信部１０２が提供者管理情報を受信するタイミングやトリガー等は上記に限定されるものではない。
【００３３】
提供者管理情報が有するユーザ識別子は、サービス提供者識別子が示すサービス提供者が提供するサービスを利用するユーザのユーザ識別子である点を除けば、上述したユーザ識別子と同様であるため、ここでの説明は省略する。
【００３４】
提供者受信部１０２は、例えば、受信した提供者管理情報を、提供者管理情報格納部１０３等に蓄積する。例えば、この蓄積は一時記憶であってもよく、長期的な記憶であってもよい。ここでは、一例として、提供者受信部１０２が、受信した提供者管理情報を、提供者管理情報格納部１０３に蓄積する場合を例に挙げて説明する。ただし、蓄積しなくてもよい。
【００３５】
提供者受信部１０２は、通常、無線または有線の通信手段で実現される。提供者受信部１０２は、通信デバイスを含むと考えても、含まないと考えても良い。
【００３６】
提供者管理情報格納部１０３には、提供者受信部１０２が受信した提供者管理情報が格納される。なお、提供者管理情報の格納が不要である場合、提供者管理情報格納部１０３は省略しても良い。
【００３７】
移動対象利用受信部１０４は、移動対象利用情報を受信する。移動対象利用情報は、例えば、移動手段関連対象をユーザが利用することを示す情報である。ここでの移動手段関連対象をユーザが利用することを示す情報は、移動手段関連対象をユーザが利用したことを示す情報も含む概念であると考えてもよい。移動対象利用情報は、通常、ユーザによる移動手段関連対象の利用が終了したことを示す情報である。ただし、ユーザによる移動手段関連対象の利用が開始したことを示す情報や、利用中であることを示す情報等であってもよい。また、移動対象利用情報は、ユーザが移動手段関連対象を利用する予定であることを示す情報であってもよい。移動対象利用情報は、例えば、ユーザが移動手段関連対象を利用した場合に送信される情報である。移動対象利用情報は、例えば、移動手段関連対象の利用開始時、利用中、または利用終了時等にユーザ端末２０や、移動手段関連対象の利用を管理する装置等から送信される情報である。移動手段関連対象の利用を管理する装置とは、例えば、駐車場等に設けられた駐車場や駐車領域の利用を管理する装置や、カーシェアリング用の自動車に取り付けられたカーシェアリング自動車の利用を管理する装置（例えば、利用開始や利用終了を管理する装置）等である。なお、移動対象利用情報は、移動手段関連対象の利用についての課金が可能な状態であることを示す情報であってもよい。
【００３８】
移動対象利用情報は、例えば、移動手段関連対象を利用するユーザのユーザ識別子と、このユーザが利用する移動手段関連対象の対象識別子との組を示す情報（以下、ユーザ対象組指定情報と称す）と、を有する情報である。ここでのユーザが利用する移動手段関連対象は、ユーザが利用した移動手段関連対象と考えてもよい。ユーザ対象組指定情報は、結果的に、移動手段関連対象を利用するユーザのユーザ識別子と、このユーザが利用する移動手段関連対象の対象識別子とを示すことが可能な情報（例えば、特定することが可能な情報）であればよい。ユーザ対象組指定情報は、例えば、対象管理情報格納部１０１に格納されている対象管理情報が有する対象管理識別子を有する情報であってもよい。例えば、移動対象利用情報が有する対象管理識別子を用いて対象管理情報格納部１０１から検索等により検出されるユーザ識別子と対象識別子との組が、上述したユーザ対象組指定情報が示すユーザ識別子と対象識別子との組となる。この対象管理識別子は、上述したような予約識別子であってもよい。また、ユーザ対象組指定情報は、移動手段関連対象を利用したユーザ識別子と、このユーザ識別子が示すユーザが利用する移動手段関連対象の対象識別子との組を有する情報であってもよい。移動対象利用受信部１０４が受信する移動対象利用情報は、例えば、移動対象利用情報であることを示す情報を有していてもよく、有していなくても良い。ただし、上記のユーザ対象組指定情報は、上記のような情報に限定されるものではない。
【００３９】
移動対象利用受信部１０４は、受信した移動対象利用情報が有するユーザ対象組指定情報がユーザ識別子と対象識別子である場合、このユーザ識別子と対象識別子とを有する対象管理情報を、対象管理情報格納部１０１に蓄積するようにしてもよい。例えば、対象管理情報格納部１０１に後述するように予約情報である対象管理情報が格納されないようにした場合等において、移動手段関連対象の利用開始時や利用完了時等に移動対象利用受信部１０４が移動対象利用情報を受信したときに、移動対象利用受信部１０４が、この移動対象利用情報が有するユーザ対象組指定情報であるユーザ識別子と対象識別子とを有する対象管理情報を、対象管理情報格納部１０１に蓄積するようにしてもよい。この場合の蓄積は一時記憶等であってもよい。この場合、移動対象利用情報が有するユーザ対象組指定情報が示すユーザ識別子と、対象識別子とを有する対象管理情報が対象管理情報格納部１０１に格納されていることとなるため、この蓄積された対象管理情報が有する端末識別子、あるいは、受信した移動対象利用情報が有するユーザ対象組指定情報が有する端末識別子が示す移動手段関連対象についての課金処理を、後述する課金処理部１０５が行うようにしても良い。
【００４０】
移動対象利用情報は、例えば、１または２以上の利用料金取得情報を有していてもよい。利用料金取得情報は、移動手段関連対象の利用料金を取得するために用いられる情報である。ここでの利用料金の取得は、利用料金の金額の取得と考えてもよい。移動対象利用受信部１０４が受信する共通するユーザ対象組指定情報を有する移動対象利用情報が有する１または２以上の移動対象利用情報がそれぞれ有する１または２以上の利用料金取得情報は、例えば、この利用料金取得情報を用いることで、この共通するユーザ対象組指定情報が示すユーザ識別子が示すユーザによる、この共通するユーザ対象組指定情報が示す対象識別子が示す移動手段関連対象の利用料金を取得することができる情報である。
【００４１】
利用料金取得情報は、例えば、移動手段関連対象の利用料金そのものを示す情報であってもよく、移動手段関連対象の利用時間の取得に用いられる情報や、移動手段関連対象の利用時間を用いて利用料金を取得するために用いられる情報等であってもよい。移動手段関連対象の利用時間の取得に用いられる利用料金取得情報は、移動手段関連対象の利用時間そのものであってもよく、移動手段関連対象の利用開始時刻や利用終了時刻であってもよい。また、利用時間から利用料金を取得するために用いられる移動対象利用情報は、例えば、移動手段関連対象の利用時間と利用料金との対応関係を示す対応表等の情報や、利用時間の単位時間当たりの利用料金を示す情報や、利用時間を引数とした利用料金の算出式等の情報を有していてもよい。また、利用時間から利用料金を取得するために用いられる移動対象利用情報は、例えば、時間帯毎や曜日毎の利用時間と利用料金との対応関係を示す情報であってもよく、時間帯毎や曜日毎の単位時間当たりの利用料金の情報や、時間帯毎や曜日毎の利用料金の算出式等の情報であってもよい。利用時間から利用料金を取得するために用いられる移動対象利用情報は、対応する移動手段関連対象の料金体系を示す情報等と考えてもよい。移動対象利用受信部１０４は、受信した移動対象利用情報を、この移動対象利用情報が有するユーザ対象組指定情報が示すユーザ識別子と対象識別子とを有する対象関連情報と対応付けて、対象関連情報格納部１０１等の格納部に蓄積してもよい。なお、移動対象利用情報が有する利用料金取得情報である移動手段関連対象の利用開始時や利用終了時の情報は、移動対象利用受信部１０４が移動対象利用情報を受信した受信時の日時等を示す情報であってもよい。
【００４２】
なお、移動対象利用受信部１０４は、移動対象利用情報以外の、ユーザ対象組指定情報と利用料金取得情報とを有する１または２以上の情報を受信してもよい。移動対象利用受信部１０４は、受信した情報が有する移動対象利用情報を、同じ受信した情報が有するユーザ対象組指定情報が示すユーザ識別子と対象識別子とを有する対象関連情報と対応付けて、対象関連情報格納部１０１等の格納部に蓄積してもよい。なお、この情報が有する利用料金取得情報である移動手段関連対象の利用開始時や利用終了時の情報は、移動対象利用受信部１０４がこの情報に対応するユーザ対象組指定情報を受信した受信時の日時等を示す情報であってもよい。
【００４３】
移動対象利用受信部１０４は、通常、無線または有線の通信手段で実現される。移動対象利用受信部１０４は、通信デバイスを含むと考えても、含まないと考えても良い。
【００４４】
課金処理部１０５は、対象管理情報格納部１０１に格納されている対象管理情報が有する対象識別子が示す移動手段関連対象を、この対象管理情報が有するユーザ識別子が示すユーザが利用する場合に、この移動手段関連対象の利用料金の課金処理を行う。課金処理とは、課金に関する処理である。課金処理については後述する。ここでのユーザが利用する場合とは、ユーザが利用した場合や、ユーザが利用する予定であることも含むと考えてもよい。かかることは、以下においても同様である。課金処理部１０５が、対象管理情報格納部１０１に格納されている対象管理情報が有する対象識別子が示す移動手段関連対象を、この対象管理情報が有するユーザ識別子が示すユーザが利用するか否かをどのように判断してもよい。例えば、課金処理部１０５は、移動対象利用受信部１０４が移動対象利用情報を受信した場合に、この移動対象利用情報が有するユーザ対象組指定情報が示すユーザ識別子と対象識別子とを有する対象管理情報が対象管理情報格納部１０１に格納されているか否かを判断し、格納されている場合、この対象管理情報が有する対象識別子が示す移動手段関連対象を、この対象管理情報が有するユーザ識別子が示すユーザが利用する、と判断する。
【００４５】
例えば、移動対象利用受信部１０４が受信した移動対象利用情報が有するユーザ対象組指定情報が、対象管理識別子である場合、課金処理部１０５は、この対象管理識別子と一致する対象管理識別子を有する対象管理情報が対象管理情報格納部１０１に格納されているときに、この対象管理情報が有する対象識別子が示す移動手段関連対象を、この対象管理情報が有するユーザ識別子が示すユーザが利用すると判断してもよい。かかることは、対象管理情報が予約情報であり、対象管理情報が予約識別子である場合についても同様である。また、例えば、ユーザ対象組指定情報が、移動手段関連対象を利用したユーザのユーザ識別子と、このユーザが利用した移動手段関連対象の対象識別子との組である場合、課金処理部１０５は、このユーザ識別子と対象識別子との組と一致するユーザ識別子と対象識別子との組を有する対象管理情報が対象管理情報格納部１０１に格納されているか否かを検索等を行って判断し、格納されている場合、この対象管理情報が有する対象識別子が示す移動手段関連対象を、この対象管理情報が有するユーザ識別子が示すユーザが利用すると判断してもよい。
【００４６】
なお、移動対象利用受信部１０４が、ユーザ対象組指定情報として、移動手段関連対象を利用したユーザのユーザ識別子と、このユーザが利用した移動手段関連対象の対象識別子との組の情報を有する移動対象利用情報を受信し、受信した移動対象利用情報に含まれるユーザ識別子と対象識別子とを有する対象管理情報を、対象管理情報格納部１０１に蓄積するようにする場合においては、対象管理情報格納部１０１に格納されている対象管理情報が有する対象識別子が示す移動手段関連対象を、この同じ対象管理情報が有するユーザ識別子が示すユーザが利用した場合であることが明らかであるため、課金処理部１０５は、移動対象利用受信部１０４が移動対象利用情報を受信した場合に、対象管理情報格納部１０１に格納されている対象管理情報が有する対象識別子が示す移動手段関連対象を、この対象管理情報が有するユーザ識別子が示すユーザが利用すると判断して、この移動手段関連対象の、このユーザによる利用についての利用料金の課金処理を行うようにしてもよい。なお、この場合の対象管理情報格納部１０１への対象管理情報等の蓄積は、一時記憶等と考えてもよい。
【００４７】
なお、移動対象利用情報が有するユーザ対象組指定情報が示すユーザ識別子と対象識別子とを有する対象管理情報が対象管理情報格納部１０１に格納されていない場合、課金処理部１０５は、課金処理を行わないようにしてもよい。なお、蓄積されていない場合においても、課金処理が可能な場合には課金処理を行うようにしても良い。
【００４８】
課金処理部１０５は、移動手段関連対象の利用料金を取得する。利用料金を取得するということは、利用料金を示す金額を取得することと考えてもよい。課金処理部１０５は、この利用料金をどのように取得しても良い。例えば、課金の対象となる移動手段関連対象に対応する対象管理情報が、利用料金を有している場合、課金処理部１０５は、この利用料金を取得しても良い。
【００４９】
また、課金処理部１０５は、例えば、課金の対象となる移動手段関連対象に対応する対象管理情報が有する予約日時と、図示しない格納部等に予め格納されている利用時間を用いて利用料金を取得するために用いられる情報等とを用いて、利用料金を取得しても良い。利用時間を用いて利用料金を取得するために用いられる情報は、例えば、上述したような利用料金取得情報が有する利用時間を用いて利用料金を取得するために用いられる情報と同様の情報である。例えば、課金処理部１０５は、課金対象の移動手段関連対象に対応する対象識別子とユーザ識別子とを有する対象管理情報が有する予約日時から、利用手段関連対象を予約した時間や、予約した時間帯や、予約した曜日等の情報を取得し、この予約した時間等を利用時間等と考えて、この予約した時間等の情報と、利用時間を用いて利用料金を取得するために用いられる情報とを用いて、利用料金を取得してもよい。なお、利用時間を用いて利用料金を取得するために用いられる情報は、利用料金の取得対象となる移動手段関連対象の対象識別子を有する対象管理情報が有していてもよく、移動対象利用受信部１０４が受信した、利用料金の取得対象となる移動手段関連対象の対象識別子を示すユーザ対象組指定情報を有する移動対象利用情報等が有していてもよい。
【００５０】
例えば、課金処理部１０５は、予約日時が示す予約開始終了時刻から、同じ予約日時が示す予約開始時刻を減算して予約時間を取得し、この予約時間を利用時間と考えて、この予約時間に、利用時間を用いて利用料金を取得するために用いられる情報である単位時間当たりの利用料金を乗算して、利用料金を取得してもよい。また、この予約時間から、利用時間を用いて利用料金を取得するために用いられる情報である利用時間（ここでは予約時間）と利用料金との対応関係を示す情報から、この利用時間に対応する利用料金を取得するようにしても良い。予約時間とは、例えば、移動手段関連対象を予約している期間である。予約時間は、移動手段関連対象を利用可能な期間と考えてもよい。
【００５１】
また、課金処理部１０５は、移動対象利用受信部１０４が受信した課金対象の移動手段関連対象に対応する対象識別子とユーザ識別子とを示すユーザ対象組指定情報と、１または２以上の利用料金取得情報とを有する１または２以上の情報が有する１または２以上の利用料金取得情報を用いて、利用料金を取得しても良い。ここでのユーザ対象組指定情報と、１または２以上の利用料金取得情報とを有する情報は、移動対象利用情報であってもよい。課金処理部１０５は、例えば、上記のような移動対象利用受信部１０４が受信したユーザ対象組指定情報と利用料金取得情報とを有する情報の利用料金取得情報が、利用料金を示す情報である場合、この利用料金をユーザ対象組指定情報が示す対象識別子が示す移動手段関連対象の利用料金として取得しても良い。また、例えば、課金処理部１０５は、、上記のような移動対象利用受信部１０４が受信した情報が有する１または２以上の利用料金取得情報を用いて、課金対象となる移動手段関連対象の利用時間を取得し、更にこの利用時間と、利用時間から利用料金を取得するための１または２以上の利用料金取得情報とを用いて利用料金を取得しても良い。例えば、移動料金取得情報が示す利用終了時刻から、移動料金取得情報が示す移動開始時刻を減算して利用時間を取得し、移動料金取得情報が有する利用時間と利用料金との対応関係を示す情報から、この利用時間に対応する利用料金を取得するようにしても良い。また、この利用時間に、移動料金取得情報が有する単位時間当たりの利用料金を乗算して利用料金を取得してもよい。
【００５２】
また、課金処理部１０５は、対象管理情報に対応づけられた１または２以上の利用料金取得情報を用いて、上記と同様に、利用料金を取得しても良い。
【００５３】
また、課金処理部１０５は、利用料金として、図示しない格納部等に格納されている予め決められた利用料金を取得してもよい。例えば、課金処理部１０５は、図示しない格納部等に格納されている利用された移動手段関連対象毎に予め決められた利用料金を取得しても良い。
【００５４】
なお、課金処理部１０５が、利用料金を決定する処理は、上記の処理に限定されるものではない。また、利用料金を決定するために用いられる情報や、上記のような情報に限定されるものではなく、また、この情報をどのように取得するかについても上記に限定されるものではない。利用料金を決定する処理や、利用料金の決定に必要な情報を取得する処理や構成等は、公知技術であるため、ここでは、詳細な説明は省略する。
【００５５】
なお、課金の対象となる移動手段関連対象に対応する利用料金取得情報は、例えば、課金の対象となる移動手段関連対象の対象識別子と、この課金の対象となる移動手段関連対象を利用したユーザのユーザ識別子との組を示すユーザ対象組指定情報を有する利用料金取得情報である。また、課金の対象となる移動手段関連対象に対応する対象管理情報は、例えば、課金の対象となる移動手段関連対象の対象識別子と、この課金の対象となる移動手段関連対象を利用したユーザのユーザ識別子との組を有する対象管理情報である。
【００５６】
なお、移動手段関連対象の予約に用いられる予約情報を、後述する予約情報受信部１０８が受信した場合に、課金処理部１０５は、この予約情報が有するユーザ識別子が示すユーザが、この予約情報が有する対象識別子が示す移動手段関連対象の利用する場合についての課金を行うようにしても良い。予約情報受信部１０８が受信した予約情報は、対象管理情報蓄積部１０９により、対象関連情報として、対象管理情報格納部１０１に蓄積されるため、この課金処理も、結果的に、上記と同様の、対象管理情報格納部に格納されている対象管理情報が有する対象識別子が示す移動手段関連対象を、この対象管理情報が有するユーザ識別子が示すユーザが利用するとき（例えば、ユーザが予約するとき）の、移動手段関連対象の利用料金についての課金処理と考えてもよい。
【００５７】
課金処理部１０５は、上記のように対象管理情報格納部１０１に格納されている対象管理情報が有する対象識別子が示す移動手段関連対象を、この対象管理情報が有するユーザ識別子が示すユーザが利用する場合であって、提供者受信部１０２が、課金対象となる移動手段関連対象を利用するユーザのユーザ識別子を有する提供者管理情報を受信した場合に、移動手段関連対象の利用料金のうちの少なくとも一部を提供者管理情報が有する提供者識別子が示すサービス提供者に課金し、このサービス提供者に課金する利用料金を除いた利用料金を、移動手段関連対象を利用するユーザに課金するための課金処理を行う。
【００５８】
サービス提供者に課金する利用料金とは、移動手段関連対象の利用料金のうちの少なくとも一部の利用料金である。少なくとも一部の利用料金は、一部の利用料金であってもよく、全ての利用料金であってもよい。サービス提供者に課金する利用料金を除いた利用料金、すなわち、移動手段関連対象の利用料金のうちの、サービス提供者に課金する利用料金を除いた利用料金とは、例えば、移動手段関連対象の利用料金のうちの金額から、サービス提供者に課金する少なくとも一部の利用料金を減算した残りの金額の利用料金である。例えば、サービス提供者に課金する利用料金が、利用料金の全額である場合、移動手段関連対象を利用するユーザに課金する利用料金は、０円となり、課金は行われないようにしてもよい。なお、本実施の形態においては、移動手段関連対象を利用するユーザに課金する利用料金が０円となり、課金は行われない場合も、便宜上、課金処理部１０５が、サービス提供者に課金する利用料金を除いた利用料金を、移動手段関連対象を利用するユーザに課金すると考えてもよい。
【００５９】
ここでの提供者管理情報を受信した場合とは、例えば、移動手段関連対象を利用したとき以前に提供者管理情報を受信した場合であってもよく、移動手段関連対象を利用したとき以後に提供者管理情報を受信した場合であってもよい。
【００６０】
課金処理部１０５が、課金対象となる移動手段関連対象を利用するユーザのユーザ識別子を有する提供者管理情報を提供者受信部１０２が受信したか否かをどのように判断するかは問わない。例えば、課金処理部１０５は、提供者受信部１０２が受信して提供者管理情報格納部１０３に蓄積した提供者管理情報の中に、移動対象利用受信部１０４が受信した移動対象利用情報が有するユーザ対象組指定情報が指定するユーザ識別子を有する提供者管理情報があるか否かを判断し、ある場合に、提供者受信部１０２が、課金対象となる移動手段関連対象を利用したユーザのユーザ識別子を有する提供者管理情報を受信したと判断し、ない場合、受信していないと判断してもよい。
【００６１】
また、移動対象利用受信部１０４が受信した移動対象利用情報を提供者管理情報格納部１０３に蓄積する代わりに、受信した移動対象利用情報が有するユーザ対象組指定情報が示すユーザ識別子と対象識別子とを有する対象管理情報に、対応する移動手段関連対象を利用することを示すフラグ等の情報を付与し、課金処理部１０５は、対象管理情報の中に、提供者受信部１０２が受信した提供者管理情報が有するユーザ識別子と一致するユーザ識別子を有する対象管理情報であって、対応する移動手段関連対象を利用することを示すフラグ等の情報が付与された対象管理情報があるか否かを判断し、ある場合に、課金対象となる移動手段関連対象を利用するユーザのユーザ識別子を有する提供者管理情報を提供者受信部１０２が受信したと判断し、ない場合、受信していないと判断してもよい。対象管理情報に対応する移動手段関連対象とは、対象管理情報が有する対象識別子が示す移動手段関連対象である
【００６２】
なお、移動手段関連対象の予約時（例えば、予約情報の受信時）等に課金処理が行われる場合等においては、後述するように、予約情報に対応する対象管理情報が対象管理情報格納部１０１に蓄積されることから、提供者受信部１０２が提供者管理情報を受信した場合に、受信した提供者管理情報が有するユーザ識別子と一致するユーザ識別子を有する対象管理情報が格納されているか否かを判断し、格納されている場合、課金対象となる移動手段関連対象を利用するユーザのユーザ識別子を有する提供者管理情報を提供者受信部１０２が受信したと判断し、格納されていない場合、受信していないと判断するようにしてもよい。
【００６３】
ここでのサービス提供者に課金する利用料金の少なくとも一部は、予め決められた金額の利用料金であってもよく、移動手段関連対象の利用料金に対して予め決められた比率によって算出される金額の利用料金であってもよい。また、サービス提供者に課金する利用料金の少なくとも一部は、利用料金の増加に応じて、線形的にまたは段階的に増加する利用料金であってもよい。また、利用料金の少なくとも一部は、利用料金の増加に応じて、線形的にまたは段階的に値が増加する比率によって算出される利用料金であってもよい。なお、利用料金の少なくとも一部をどのように決定するかは、上記に限定されるものではない。また、サービス提供者に課金する利用料金を除いた利用料金は、通常は、移動手段関連対象の利用料金から、サービス提供者に課金する利用料金を除いた利用料金の全てであるが、その一部としてもよい。
【００６４】
なお、課金処理部１０５は、提供者受信部１０２が、課金対象となる移動手段関連対象を利用したユーザのユーザ識別子を有する提供者管理情報を受信していない場合に、移動手段関連対象の利用料金を、移動手段関連対象を利用したユーザに課金するための課金処理を行うことが好ましい。例えば、利用料金の全額を、移動手段関連対象を利用したユーザに課金するための課金処理を行うことが好ましい。
【００６５】
また、課金処理部１０５は、提供者受信部１０２が、課金対象となる移動手段関連対象を利用したユーザのユーザ識別子を有する提供者管理情報を受信した場合に、この提供者管理情報が有するユーザ識別子およびサービス提供者識別子に対応するユーザ属性情報をユーザ属性格納部１０６に格納された１または２以上のユーザ属性管理情報を用いて取得し、取得したユーザ属性情報に応じて、移動手段関連対象の利用料金のうちの、サービス提供者に課金する少なくとも一部の利用料金を決定するようにしてもよい。
【００６６】
ユーザ属性管理情報は、ユーザ識別子と、サービス提供者識別子と、ユーザ属性情報とを有する情報である。ユーザ属性情報は、ユーザの属性を示す情報である。ユーザ属性情報は、例えば、各サービス提供者が提供するサービスの利用に関するユーザの属性を示す情報である。ユーザ属性情報は、例えば、各サービス提供者がそれぞれ提供するサービスを利用する場合におけるユーザの属性を示す情報である。このユーザ属性情報は、例えば、各サービス提供者がそれぞれ提供するサービスを利用するユーザのステータスを示す情報と考えてもよい。例えば、ユーザ属性情報は、対応するサービス提供者識別子が示すサービス提供者が提供するサービスを利用するユーザが、このサービスの有料会員であるか無料化会員であるか等を示す情報や、会員であるか否かを示す情報等である。
【００６７】
例えば、課金処理部１０５は、提供者受信部１０２が受信した提供者管理情報が有するユーザ識別子およびサービス提供者識別子の両方を有するユーザ属性管理情報を検出し、検出したユーザ属性管理情報が有するユーザ属性情報を、後述するユーザ属性格納部１０６から取得する。そして、課金処理部１０５は、上記で取得したユーザ属性情報と、後述する属性料金格納部１０７に格納されている１または２以上の属性料金管理情報とを用いて、課金処理部１０５が、移動手段関連対象の利用料金のうちのサービス提供者に課金する少なくとも一部の利用料金を決定する。ここでの利用料金の決定は、課金する利用料金の決定と考えてもよい。属性料金管理情報は、例えば、ユーザ属性情報と、料金の一部を決定するための料金決定情報とを有する情報である。料金決定情報は、サービス提供者に課金される利用料金の少なくとも一部となる金額を示す情報であってもよく、利用料金の少なくとも一部を決定する比率等であってもよい。また、この金額や比率は、利用料金に応じて、線形的にまたは段階的に増加する値であってもよい。課金処理部１０５は、例えば、属性料金格納部１０７に格納されている１または２以上の属性料金管理情報から、上記で取得したユーザ属性情報を有する属性料金管理情報を検出し、検出した属性料金管理情報が有する料金決定情報を取得し、この料金決定情報を用いて、課金処理部１０５がサービス提供者に課金する利用料金の少なくとも一部を決定する。
【００６８】
課金処理とは、上述したように課金に関する処理である。ここでの課金処理は、例えば、課金先となるユーザ等に対して、課金対象となる移動手段関連対象の利用料金を課金するための課金に関する処理である。課金処理は、課金を実行する処理であってもよく、課金に用いられる情報を、課金を実行する他のサーバ装置（図示せず）や、移動手段関連対象等を提供する人や企業や団体等が利用するサーバ装置や端末装置等に出力する処理等であってもよい。ここでの課金に用いられる情報は、例えば、課金に必要な情報と考えてもよく、結果的に課金に用いられる情報や課金に必要な情報を取得可能な情報を取得可能な情報であってもよい。ここでの出力は、例えば、送信や表示や印刷やデータの蓄積等である。課金処理は、例えば、課金する利用料金やその情報を、ユーザ等の課金先が利用料金の支払に利用するクレジットカードや、口座や、プリペイドカード等の事前にチャージされた電子マネー等から引き落とす処理であってもよい。また、課金処理は、利用料金をユーザ等の課金先に請求する処理や、ユーザ等の課金先に利用料金の請求書等を発行する処理であってもよい。
【００６９】
課金に用いられる情報は、例えば、課金する利用料金を有する情報である。課金に用いられる情報は、ここでの利用料金は、例えば、利用料金の情報である。利用料金の情報は、利用料金の金額の情報と考えてもよい。また、課金に用いられる情報は、例えば、課金先を特定可能な情報を有する情報である。課金先を特定可能な情報は、例えば、課金を行なう際に用いられる課金先であるユーザやサービス提供者に関する情報を取得可能な情報である。課金先であるユーザやサービス提供者に関する情報とは、例えば、ユーザやサービス提供者のクレジットカードや口座引き落としに利用される口座番号や電子マネーの識別子等の情報である。課金先であるユーザに関する情報は、例えば、上述したユーザ課金用情報である。課金先であるサービス提供者に関する情報は、例えば、後述する提供者課金用情報である。課金先を特定可能な情報は、例えば、課金先であるユーザやサービス適用者に関する情報と対応付けられていてもよく、課金先であるユーザやサービス適用者に関する情報であってもよい。課金先であるユーザやサービス適用者に関する情報は、課金装置１０が、ユーザ識別子や、サービス提供者識別子と対応付けて図示しない格納部等に格納しているようにしてもよく、課金を実行するサーバ装置（図示せず）等が有していてもよい。課金先であるユーザやサービス適用者に関する情報は、課金先の住所やメールアドレスや電話番号等の情報であってもよい。課金に用いられる情報は、例えば、上述したような課金先であるユーザやサービス適用者に関する情報を有していてもよい。また、課金処理部１０５は、図示しない格納部等に格納されているユーザ識別子やサービス提供者識別子と、課金先であるユーザやサービス適用者に関する情報とを有する１または２以上の情報を用いて、課金先を特定するユーザ識別子や、サービス提供者識別子から、適宜、課金先であるユーザやサービス適用者に関する情報を取得して課金を実行するサーバ装置（図示せず）等に送信してもよい。この課金先であるユーザやサービス適用者に関する情報は、予約情報や利用料金取得情報等とともに課金装置１０がユーザ端末２０等から受信して、対応する対象管理情報に追記するようにしてもよい。また、課金に用いられる情報は、例えば、課金対象となる移動手段関連対象を示す情報（例えば、対象識別子）や、この移動手段関連対象を提供するもの（例えば、提供する人や企業や団体等）の識別子等を有していてもよい。この移動手段関連対象を提供するものの識別子等は、対象管理情報が有しているようにしてもよい。また、対象識別子と、この対象識別子が示す移動手段関連対象を提供するものの識別子とを対応付けて有する情報から、課金対象となる移動手段関連対象の対象識別子を用いて検索等を行って取得しても良い。課金に用いられる情報としては、公知の情報が利用可能であり、ここでは詳細な説明は省略する。
【００７０】
ユーザに利用料金の全額を課金する場合の課金に用いられる情報は、例えば、課金先となるユーザのユーザ識別子および課金対象となる移動手段関連対象の利用料金とを有する情報である。また、例えば、サービス提供者に利用料金の少なくとも一部を課金し、この一部を除いた利用料金をユーザに課金する場合の課金に用いられる情報は、課金先となるサービス提供者のサービス提供者識別子と課金対象となる移動手段関連対象の利用料金の少なくとも一部の金額との組と、課金先となるユーザのユーザ識別子と課金対象となる移動手段関連対象の利用料金からこの一部の金額を除いた金額との組を有する情報である。
【００７１】
なお、課金処理としては、公知の技術が利用可能であり、ここでは詳細な説明は省略する。また、課金に用いられる情報等についても、公知の情報が利用可能である。課金処理部１０５は、例えば、移動手段関連対象等を提供する人や企業や団体等に代わって課金処理を行う。
【００７２】
なお、ここでの課金処理は、課金した利用料金の一部を減額する処理や、課金した利用料金を訂正したり、返金したりする処理を含んでいてもよい。返金する処理は、返金に関する処理と考えてもよい。例えば、一旦、ユーザに移動手段関連対象の利用料金を課金した後、その一部の利用料金を、サービス提供者に課金し、このサービス提供者に課金した利用料金を、ユーザが課金した利用料金から返金する処理を行うようにしてもよい。なお、減額する処理や、訂正したり返金したりする処理は、減額や訂正や返金に関する処理と考えてもよい。減額や訂正や返金に関する処理は、減額や訂正や返金に必要な情報（例えば、減額や訂正や返金する利用料金の金額の情報や返金先となるユーザのユーザ識別子等）を、課金を行うサーバ装置等に出力する処理であってもよい。かかることは、以下においても同様である。
【００７３】
ここでの課金処理は、課金のための与信の処理であっても良い。課金処理は、例えば、図示しない課金を行なう課金サーバ等への上述したような課金に用いられる情報の送信や、ユーザや、サービス提供者のクレジットカードの情報等を、課金の処理を行なうサーバ装置（図示せず）等に送信する処理であっても良い。ここで課金される金額は、通常、課金される金額と同額であるが、発行手数料等が含まれていても良い。なお、課金処理部１０５が行なう課金の処理は、上記の処理に限定されるものではない。例えば、課金処理部１０５が、ユーザやサービス提供者に対して行う課金処理は、サービス提供者に対して移動手段関連対象の利用料金の請求書等を発行する処理であってもよい。
【００７４】
なお、サービス提供者に課金される利用料金の少なくとも一部の金額や、この一部を決定する比率等は、対応する提供者管理情報が有するユーザ識別子が示すユーザの属性によって異なるようにしてもよい。課金装置１０を利用するユーザの属性は、移動手段関連対象を利用するユーザの属性と考えてもよい。ここでのユーザ属性は、課金装置１０や移動手段関連対象を利用するうえでのユーザのステータスと考えてもよい。この場合の金額や比率の決定は、例えば、上述したユーザ属性情報に応じた金額や比率を決定する処理において、サービス提供者識別子を利用しないようにした処理により実現可能である。
【００７５】
また、サービス提供者に課金される利用料金の少なくとも一部の金額や、この一部を決定する比率等は、対応する提供者管理情報が有するサービス提供者識別子が示すサービス提供者の属性によって異なるようにしてもよい。この場合の金額や比率の決定は、例えば、上述したユーザ属性情報に応じた金額や比率を決定する処理において、ユーザ識別子を利用しないようにした処理により実現可能である。
【００７６】
なお、サービス提供者に利用料金の少なくとも一部を課金するために用いられる課金先であるサービス提供者に関する情報は、図示しない格納部等に、サービス提供者識別子等と対応付けて予め格納されているようにし、課金が必要な際に適宜読み出すようにすることが好ましい。サービス提供者に利用料金を課金するために用いられる課金先であるサービス提供者に関する情報を、以下、提供者課金用情報と呼ぶ。提供者課金用情報は、課金される利用料金を含まない情報である。提供者課金用情報は、例えば、サービス提供者のクレジットカード番号や、口座引き落としようの番号や、サービス提供者の請求先の情報等である。ただし、この情報や、サービス提供者に課金を行うために利用される情報であれば上記の情報に限定されるものではない。提供者課金用情報としては、例えば、上述したようなユーザ課金用情報と同様の情報が利用可能である。サービス提供者識別子が、提供者課金用情報と対応付けられた情報である場合、この提供者課金用情報と、提供者識別子との対応付けを管理する情報（例えば、提供者課金用情報と、提供者識別子とを有する提供者課金管理情報等）は、課金装置１０が有していてもよく、図示しない課金を行うサーバ装置等が有していてもよい。この対応付けを管理する情報を課金装置１０が有している場合、後述する課金処理部１０５等が、サービス提供者に対して課金を行う際に、課金の対象となるサービス提供者のサービス提供者識別子と対応付けられた提供者課金用情報を、この対応付けを管理する情報から取得するようにすればよい。また、対象管理情報が、上記のような提供や課金用情報をさらに有しているようにしてもよい。
【００７７】
なお、課金処理部１０５は、対象管理情報格納部１０１に格納されている対象管理情報が有する対象識別子が示す移動手段関連対象を、この対象管理情報が有するユーザ識別子が示すユーザが利用した場合以外の場合においても、移動手段関連対象の利用料金の課金処理を行うようにしてもよく、行わないようにしてもよい。例えば、課金処理部１０５は、移動対象利用受信部１０４が受信した移動対象利用情報が有する対象管理情報を特定可能な情報に対応する対象管理情報が、対象管理情報格納部１０１に格納されていない場合においても、この移動対象利用情報により特定される移動手段関連対象の利用料金の課金処理を行うようにしても良い。
【００７８】
課金処理部１０５は、通常、ＭＰＵやメモリ等から実現され得る。課金処理部１０５の処理手順は、通常、ソフトウェアで実現され、当該ソフトウェアはＲＯＭ等の記録媒体に記録されている。但し、ハードウェア（専用回路）で実現しても良い。また、課金処理部１０５は、課金に用いられる情報等を図示しない課金サーバ等に送信するための通信手段等を有していてもよい。
【００７９】
ユーザ属性格納部１０６には、１または２以上のユーザ属性管理情報が格納される。ユーザ属性管理情報は、ユーザ識別子と、ユーザ属性情報とを有する情報である。
【００８０】
属性料金格納部１０７に１または２以上の属性料金管理情報が格納される。属性料金管理情報は、ユーザ属性情報と、料金決定情報とを有する情報である。料金決定情報は、例えば、サービス提供者に課金する移動手段関連対象の利用料金の少なくとも一部を決定するための情報であり、例えば、比率や金額等を示す情報である。料金決定情報は、利用料金の複数の範囲と、利用料金の少なくとも一部を決定する比率や金額とを対応付けた情報であってもよく、利用料金を引数として、利用料金の少なくとも一部を決定する比率や金額を算出する数式等を示す情報であってもよい。
【００８１】
なお、ユーザ属性管理情報と、属性料金管理情報との代わりに、これらの情報を、同じユーザ属性情報を有するもの同士で結合した、ユーザ識別子と料金決定情報とを有する管理情報を用いるようにしてもよく、この管理情報を用いることで、上記と同様に、ユーザ識別子に対応する料金決定情報を取得することができる。この管理情報は、例えば図示しない格納部に蓄積するようにすればよい。この場合、ユーザ属性格納部１０６および属性料金格納部１０７は設けないようにしてもよい。
【００８２】
予約情報受信部１０８は、予約情報を受信する。予約情報は、予約対象となる移動手段関連対象の対象識別子と、予約を行うユーザのユーザ識別子とを有する情報である。予約情報は、予約日時等の情報や、予約識別子等を有していてもよい。予約日時は、予約した時間帯を示す情報を有していてもよい。予約情報受信部１０８は、例えば、ユーザ端末２０から予約情報を受信する。なお、予約情報受信部１０８は、予約情報の受信時に予約識別子を取得するようにし、取得した予約識別子を受信した予約情報に追記するようにしてもよい。
【００８３】
なお、課金装置１０が有する出力部（図示せず）等が、予約に用いられる予約画面等の情報を、ユーザ端末２０等から送信される要求に応じて、送信するようにしても良い。このような要求を受信する受信部（図示せず）を課金装置１０が有していてもよい。また、課金装置１０が有する出力部（図示せず）等が、予約が可能な移動手段関連対象の対象識別子と、予約が可能な日時等の情報をユーザ端末２０等に出力するようにし、この情報を用いてユーザ端末２０から送信される予約可能な日時に移動手段関連対象を予約するための予約情報を予約情報受信部１０８が受信するようにしても良い。なお、このような予約を受け付けるために必要な情報を取得する構成や、予約を受け付けるための出力等を行う構成は、公知技術であるため、ここでは詳細な説明等は省略する。
【００８４】
予約情報受信部１０８は、通常、無線または有線の通信手段で実現される。予約情報受信部１０８は、通信デバイスを含むと考えても、含まないと考えても良い。
【００８５】
対象管理情報蓄積部１０９は、予約情報受信部１０８が受信した予約情報を対象管理情報として対象管理情報格納部１０１に蓄積する。また、対象管理情報蓄積部１０９は、移動対象利用受信部１０４が、移動手段関連対象の利用開始時や利用完了時等に、移動対象利用情報を受信した場合に、この移動手段関連対象が有するユーザ対象組指定情報が示すユーザ識別子と対象識別子とを有する対象管理情報を、対象管理情報格納部１０１に蓄積してもよい。この場合の蓄積は一時記憶等であってもよい。対象管理情報蓄積部１０９は、さらに、予約識別子等の対象管理識別子や、予約情報が有する予約日時等を有する予約情報を、対象管理情報として対象管理情報格納部１０１に蓄積してもよい。予約識別子等は、予約情報受信部１０８が受信する予約情報に含まれているものを用いてもよい。なお、対象管理情報蓄積部１０９は、予約情報受信部１０８が受信した予約情報について予約識別子を取得するようにし、取得した予約識別子を予約情報受信部１０８が受信した予約情報に追記した予約情報を取得し、この予約情報を、予約識別子を対象管理情報として有する対象管理情報として対象管理情報格納部１０１に蓄積するようにしてもよい。
【００８６】
対象管理情報蓄積部１０９は、通常、ＭＰＵやメモリ等から実現され得る。対象管理情報蓄積部１０９の処理手順は、通常、ソフトウェアで実現され、当該ソフトウェアはＲＯＭ等の記録媒体に記録されている。但し、ハードウェア（専用回路）で実現しても良い。
【００８７】
ユーザ端末２０は、移動手段関連対象やサービス提供者が提供するサービスを利用するユーザが利用する端末装置である。ユーザ端末２０は、例えば、コンピュータや、携帯電話、いわゆるスマートフォンやタブレット端末等の多機能携帯端末、カーナビゲーションシステム等により実現可能である。
【００８８】
ユーザ受信部２０１は、課金装置１０や提供者サーバ装置３０等から送信される情報を受信する。この情報は、例えば、移動手段関連対象の予約を行うために用いられる情報である。この予約を行うために用いられる情報は、例えば、予約画面等の情報である。また、移動手段関連対象の利用料金を請求する情報を、課金装置１０等から受信してもよい。利用料金を請求する情報は、例えば、利用料金を有する情報である。なお、ユーザ受信部２０１は、上記以外の情報を、受信してもよい。また、ユーザ受信部２０１は、提供者サーバ装置３０等が送信する情報等を受信してもよい。
【００８９】
ユーザ受信部２０１は、通常、無線または有線の通信手段で実現される。ユーザ受信部２０１は、通信デバイスを含むと考えても、含まないと考えても良い。
【００９０】
ユーザ受付部２０２は、ユーザからの操作を受け付ける。ユーザ受付部２０２は、例えば、移動手段関連対象を予約するための予約情報の入力操作を受け付けてもよい。ここでの予約情報は、上述したような予約情報である。また、ユーザ受付部２０２は、例えば、移動手段関連対象の利用料金の支払を行うための操作を受け付けてもよい。利用料金を支払うための操作は、例えば、利用料金の課金に用いられる情報等を入力するための操作である。利用料金の支払を行うための操作は、課金を許可する操作であってもよい。また、ユーザ受付部２０２は、サービス提供者が提供するサービスの利用を予約する操作や、サービスの利用料金を支払う操作等を受け付けても良い。ここでの受付とは、例えば、入力手段からの受付等である。この入力手段は、キーボードやマウスやタッチパネルやメニュー画面によるもの等、何でも良い。ユーザ受付部２０２は、キーボード、タッチパネル等の入力手段のデバイスドライバーや、メニュー画面の制御ソフトウェア等で実現され得る。
【００９１】
ユーザ送信部２０３は、情報を送信する。ユーザ送信部２０３は、例えば、課金装置１０や、提供者サーバ装置３０等に対して、情報を送信する。ユーザ送信部２０３は、例えば、課金装置１０に、利用料金の課金に用いられる情報を送信する。利用料金の課金に用いられる情報は、ユーザのクレジットカード番号等の課金に用いられる情報である。ユーザ送信部２０３は、例えば、ユーザ受付部２０２が受け付けた入力に応じた情報を送信する。例えば、ユーザ送信部２０３は、課金装置１０に対して、ユーザ受付部２０２が受け付けた予約情報を送信する。また、ユーザ送信部２０３は、サービス提供者が提供するサービスの利用を予約する情報を、提供者サーバ装置３０等に送信してもよい。例えば、ユーザ送信部２０３は、課金装置１０に対して、利用料金の課金を許可する情報を送信する。また、ユーザ送信部２０３は、ユーザ受付部２０２が受け付ける操作に応じて、提供者サーバ装置３０等に、ユーザ識別子を送信してもよい。ユーザ送信部２０３は、ユーザ対象組指定情報と利用料金取得情報とを有する情報を課金装置１０に送信してもよい。
【００９２】
例えば、ユーザ送信部２０３は、ユーザが移動手段関連対象の利用を開始した場合や、利用を終了した場合や、利用途中等に、このユーザがユーザ受付部２０２に対して行った入力に応じて、このユーザのユーザ識別子と、この移動手段関連対象の対象識別子とを有するユーザ対象組指定情報と、ユーザが移動手段関連対象の利用を開始した時刻や、終了した時刻等の利用料金取得情報とを有する情報を、課金装置１０に送信してもよい。この情報の１以上は、移動対象利用情報であってもよい。
【００９３】
また、例えば、対象管理情報が予約情報である場合、ユーザ送信部２０３は、ユーザが一の予約情報に対応する移動手段関連対象の利用を開始した場合や、利用を終了した場合や、利用途中等に、このユーザがユーザ受付部２０２に対して行った入力に応じて、この一の予約情報に対応する予約識別子であるユーザ対象組指定情報と、ユーザが移動手段関連対象の利用を開始した時刻や、終了した時刻等の利用料金取得情報とを有する情報を、課金装置１０に送信してもよい。この情報の１以上は、移動対象利用情報であってもよい。
【００９４】
ユーザ送信部２０３は、通常、無線または有線の通信手段で実現される。ユーザ送信部２０３は、通信デバイスを含むと考えても、含まないと考えても良い。
【００９５】
ユーザ表示部２０４は、情報を表示する。例えば、ユーザ表示部２０４は、移動手段関連対象を予約するための予約画面等を表示する。また、ユーザ表示部２０４は、例えば、サービス提供者が提供するサービスの利用を予約する予約画面等を表示する。また、ユーザ表示部２０４は、移動手段関連対象の利用料金の課金の許可を受け付けるための画面等を表示してもよい。また、ユーザ表示部２０４は、例えば、サービス提供者が提供するサービスの利用料金の支払を行うための入力画面等を表示してもよい。
【００９６】
ユーザ表示部２０４は、モニタ等の表示デバイスを含むと考えても含まないと考えても良い。ユーザ表示部２０４は、表示デバイスのドライバーソフトまたは、ディスプレイデバイスのドライバーソフトとディスプレイデバイス等で実現され得る。
【００９７】
提供者サーバ装置３０は、サービス提供者が利用するサーバ装置である。提供者サーバ装置３０は、例えば、コンピュータ等により実現可能である。
【００９８】
提供者受付部３０１は、サービス提供者による操作を受け付ける。例えば、提供者受付部３０１は、サービス提供者が提供するサービスを利用するユーザのユーザ識別子と、このサービス提供者のサービス提供者識別子とを有する提供者管理情報を、課金装置１０に送信する操作を受け付ける。この操作は、例えば、送信するユーザ識別子を入力する操作と、入力されたユーザ識別子と、図示しない格納部に予め格納されているサービス提供者識別子とを有する提供者管理情報を送信するための操作とを含む操作である。また、この操作は、送信するユーザ識別子を入力する操作と、送信するサービス提供者識別子を入力する操作と、これらの操作で入力されたユーザ識別子とサービス提供者識別子とを有する提供者管理情報を送信するための操作とを含む操作であってもよい。なお、この送信する操作は、提供者管理情報に含まれることとなるユーザ識別子やサービス提供者識別子の入力操作も含むと考えてもよい。提供者管理情報を送信する操作は、例えば、サービス提供者が提供するサービスの利用料金を支払った直後等に、受け付けるようにすることが好ましい。提供者受付部３０１は、例えば、サービス提供者が提供するサービスの利用料金を支払うための入力であって、支払うユーザのユーザ識別子を有する入力を受け付けてもよい。また、提供者受付部３０１は、例えば、ユーザが利用するユーザ端末２０等から、提供者サービスの利用についての支払いを行うためのユーザ識別子を有する情報を受信してもよい。この利用料金を支払うための操作は、サービスを利用するユーザのユーザ識別子を有していることが好ましい。なお、提供者受付部３０１が受け付ける操作は、上記の操作に限定されるものではない。
【００９９】
ここでの操作の入力に用いられる入力手段は、キーボードやタッチパネルや、マウスやメニュー画面によるもの等、何でも良い。提供者受付部３０１は、キーボードやタッチパネル等の入力手段のデバイスドライバーや、メニュー画面の制御ソフトウェア等で実現され得る。
【０１００】
提供者管理情報送信部３０２は、提供者管理情報を課金装置１０に送信する。例えば、提供者管理情報送信部３０２は、提供者受付部３０１が提供者管理情報を送信する操作を受け付けた場合に、この操作により入力されたユーザ識別子と、図示しない格納部等に予め格納されているサービス提供者識別子（または、この操作により入力されたサービス提供者識別子）とを有する提供者管理情報を、課金装置１０に送信する。また、提供者管理情報送信部３０２は、ユーザが利用するユーザ端末２０等から、提供者サービスの利用についての支払いを行うためのユーザ識別子を有する情報を受信した場合等に、このユーザ識別子と、図示しない格納部等に予め格納されているこの提供者サービスを提供するサービス提供者のサービス提供者識別子とを有する提供者管理情報を課金装置１０に送信する。ただし、提供者管理情報送信部３０２が提供者管理情報を送信する時期やトリガー等は上記に限定されるものではない。
【０１０１】
提供者管理情報送信部３０２は、通常、無線または有線の通信手段で実現される。提供者管理情報送信部３０２は、通信デバイスを含むと考えても、含まないと考えても良い。
【０１０２】
なお、ユーザ端末２０および提供者サーバ装置３０のそれぞれは、課金装置１０が上記で説明したような構成を実現可能となるような情報を、課金装置１０に提供可能なものであって、移動手段関連対象の利用や利用料金の支払等を妨げないようなものであれば、上記のような構成に限定されるものではない。例えば、提供者サーバ装置３０は、提供者サービスの利用についての課金等をユーザに対して行うための処理部（図示せず）や、支払いのための決済等の処理を行う処理部（図示せず）等を有していてもよい。
【０１０３】
次に、課金システム１の課金装置１０の動作の一例について図２のフローチャートを用いて説明する。
【０１０４】
（ステップＳ１０１）予約情報受信部１０８は、予約情報を受信したか否かを判断する。予約情報は、例えば、ユーザ端末２０等から受信する。予約情報は、移動手段関連対象の予約を管理する１または２以上のサーバ装置（図示せず）等から受信してもよい。予約情報を受信した場合、ステップＳ１０２に進み、受信していない場合、ステップＳ１０３に進む。ここでは、受信する予約情報が、例えばユーザ識別子と、対象識別子とを有する情報である場合について説明する。
【０１０５】
（ステップＳ１０２）対象管理情報蓄積部１０９は、ステップＳ１０１で受信した予約情報を対象管理情報として、対象管理情報格納部１０１に蓄積する。対象管理情報蓄積部１０９は、例えば、予約情報を蓄積する際に予約識別子を予め決められたルール等に応じて取得し、この予約識別子を追記した予約情報であって、この予約識別子を対象管理識別子として有する対象管理情報を対象管理情報格納部１０１に蓄積する。そして、ステップＳ１０１に戻る。
【０１０６】
（ステップＳ１０３）提供者受信部１０２は、提供者管理情報を受信したか否かを判断する。提供者管理情報を受信した場合、ステップＳ１０４に進み、受信していない場合、ステップＳ１０５に進む。
【０１０７】
（ステップＳ１０４）提供者受信部１０２は、ステップＳ１０２で受信した提供者管理情報を、提供者管理情報格納部１０３に蓄積する。そして、ステップＳ１０５に進む。
【０１０８】
（ステップＳ１０５）移動対象利用受信部１０４は、移動対象利用情報を受信したか否かを判断する。受信した場合、ステップＳ１０６に進み、受信していない場合、ステップＳ１０１に戻る。ここで受信する移動対象利用情報は、例えば、予約情報が示す移動手段関連対象の利用を終了した際に送信されるものである。ここで受信する移動対象利用情報は、上述したユーザ対象組指定情報として、予約情報の予約識別子を有している場合をここでは例に挙げて説明する。
【０１０９】
（ステップＳ１０６）課金処理部１０５は、ステップＳ１０５で受信した移動対象利用情報に対応する対象管理情報が、対象管理情報格納部１０１に格納されているか否かを判断する。ステップＳ１０５で受信した移動対象利用情報に対応する対象管理情報とは、受信した移動対象利用情報が有するユーザ対象組指定情報が示すユーザ識別子と対象識別子とを有する対象管理情報である。ここでは、移動対象利用情報が有するユーザ対象組指定情報が予約識別子であり、対象管理情報格納部１０１に格納された対象管理情報が、予約情報であり、この対象管理情報が有する対象管理識別子が予約識別子であるため、移動対象利用情報が有する予約識別子と一致する対象管理識別子を有する対象管理情報を、対象管理情報格納部１０１に格納されている対象管理情報から検索し、一致するものがあれば、受信した移動対象利用情報に対応する対象管理情報が格納されていると判断してステップＳ１０７に進み、一致するものがなければ、対応する対象管理情報が格納されていないと判断して、ステップＳ１０１に戻る。
【０１１０】
（ステップＳ１０７）課金処理部１０５は、ステップＳ１０５で受信した移動対象利用情報について、移動手段関連対象の利用料金を取得する。ここで取得する利用料金は、例えば、ユーザが移動対象利用情報を利用した利用料金の全額である。例えば、課金処理部１０５は、ステップＳ１０５で受信した移動対象利用情報に対応する予約情報である対象管理情報を検出し、検出した対象管理情報が有する予約日時が示す予約時間を、ユーザが利用した移動手段関連対象の利用時間として取得し、図示しない格納部等に格納されているユーザが利用する移動手段関連対象に対応する利用時間と利用料金との対応関係を示す対応表等から、ユーザが利用した利用時間に対応する利用料金を取得する。移動対象利用情報に対応する予約情報である対象管理情報とは、例えば、移動対象利用情報が有するユーザ対象組指定情報である予約識別子と一致する対象管理識別子を有する対象管理情報である。なお、移動対象利用情報が、ユーザ対象組指定情報として、ユーザ識別子と対象識別子とを有する場合、移動対象利用情報に対応する予約情報である対象管理情報は、例えば、このユーザ識別子と対象識別子と一致するユーザ識別子と対象識別子とを有する対象管理情報である。
【０１１１】
（ステップＳ１０８）課金処理部１０５は、ステップＳ１０５で受信した移動対象利用情報が有するユーザ対象組指定情報が示すユーザ識別子と一致するユーザ識別子を有する提供者管理情報が提供者管理情報格納部１０３に格納されているか否かを判断する。移動対象利用情報が有するユーザ対象組指定情報が示すユーザ識別子としては、例えば、ユーザ対象組指定情報である予約識別子と一致する対象識別子を有する対象管理情報が有するユーザ識別子を検索等により取得して用いる。格納されている場合、ステップＳ１０９に進み、格納されていない場合、ステップＳ１１１に進む。なお、上記のような提供者管理情報が格納されている場合、この提供者管理情報を削除するか、この提供者管理情報に利用済であること、または削除済であることを示すフラグ等の情報を付与して、この情報が再度検出されないようにすることが好ましい。また、ここで検出する提供者管理情報は、移動対象利用情報を受信した日付と同じ日付に受信した提供者管理情報に限定することが好ましい。なお、提供者管理情報格納部１０３に蓄積される提供者管理情報を、当日に受信した提供者管理情報に限定するようにしてもよい。
【０１１２】
（ステップＳ１０９）課金処理部１０５は、ステップＳ１０８において、移動対象利用情報が示すユーザ識別子を有すると判断された提供者管理情報が有するユーザ識別子とサービス提供者識別子との両方に対応するユーザ属性情報を取得する。例えば、課金処理部１０５は、ユーザ属性格納部１０６に格納されている１または２以上のユーザ属性管理情報から、上記のユーザ識別子とサービス提供者識別子との両方を有するユーザ属性管理情報を検出し、検出したユーザ属性管理情報のユーザ属性情報を取得する。
【０１１３】
（ステップＳ１１０）課金処理部１０５は、ステップＳ１０９で取得したユーザ属性情報に対応する料金決定情報を取得する。例えば、属性料金格納部１０７に格納されている属性料金管理情報から、ステップＳ１０９で取得したユーザ属性情報を有する属性料金管理情報を検出し、検出した属性料金管理情報が有する料金決定情報を取得する。そして、ステップＳ１１２に進む。
【０１１４】
（ステップＳ１１１）課金処理部１０５は、ステップＳ１０７で決定した金額の利用料金を、ステップＳ１０５で受信した移動対象利用情報が有するユーザ対象組指定情報が示すユーザ識別子に対応するユーザに課金するための課金処理を行う。移動対象利用情報が有するユーザ対象組指定情報が示すユーザ識別子としては、例えば、ステップＳ１０８で取得したユーザ識別子を用いる。課金処理の後、ステップＳ１０５で受信した移動対象利用情報が有するユーザ対象組指定情報が示すユーザ識別子と対象識別子とを有する対象管理情報については、対象管理情報格納部１０１から削除するか、再度検出されないよう、この対象管理情報に利用済であること、または削除済であることを示すフラグ等の情報を付与することが好ましい。そして、ステップＳ１０１に戻る。
【０１１５】
（ステップＳ１１２）課金処理部１０５は、ステップＳ１１０で取得した料金決定情報を用いて、ステップＳ１０７で決定した金額の利用料金のうちの、サービス提供者に課金する利用料金の少なくとも一部を決定する。ここでのサービス提供者は、ステップＳ１０６において、ステップＳ１０５で受信した移動対象利用情報に対応する対象管理情報として検出された対象管理情報が有するサービス提供者識別子が示すサービス提供者である。サービス提供者に課金する利用料金の少なくとも一部の金額は、例えば、料金決定情報が、金額である場合、その金額となる。また、料金決定情報が、利用料金に対する比率（例えば、３０％等）を示す情報である場合、ステップＳ１０７で決定した金額のうちの、この比率が示す金額がサービス提供者に課金される金額となる。
【０１１６】
（ステップＳ１１３）課金処理部１０５は、ステップＳ１１２で決定した金額と、ステップＳ１０７で決定した金額とを用いて、ユーザに課金する利用料金を決定する。ここで決定する利用料金は、例えば、ステップＳ１０７で決定した利用料金から、サービス提供者に課金する利用料金を減額した金額である。ここでのユーザは、ステップＳ１０５で受信した移動対象利用情報が有するユーザ対象組指定情報が示すユーザ識別子に対応するユーザである。このユーザは、例えば、ステップＳ１０８で取得したユーザ識別子が示すユーザである。課金処理部１０５は、例えば、ステップＳ１０７で決定した利用料金から、ステップＳ１１２で決定したサービス提供者に課金する少なくとも一部の利用料金を減額した金額を、ユーザに課金する利用料金に決定する。
【０１１７】
（ステップＳ１１４）課金処理部１０５は、ステップＳ１１２で決定した金額の利用料金を、サービス提供者に課金するための課金処理を行う。また、課金処理部１０５は、ステップ１１３で決定した金額の利用料金をサービス提供者に課金するための課金処理を行う。なお、課金処理の後、ステップＳ１０５で受信した移動対象利用情報が有するユーザ対象組指定情報が示すユーザ識別子と対象識別子とを有する対象管理情報（ここでは、予約情報）については、対象管理情報格納部１０１から削除するか、再度検出されないよう、この対象管理情報に利用済であること、または削除済であることを示すフラグ等の情報を付与することが好ましい。そして、ステップＳ１０１に戻る。
【０１１８】
なお、図２のフローチャートにおいて、電源オフや処理終了の割り込みにより処理は終了する。
【０１１９】
次に、ユーザ端末２０の処理の一例について簡単に説明する。
ユーザ受付部２０２が、移動手段関連対象の予約を行う予約画面を表示するための入力をユーザから受け付けると、ユーザ表示部２０４はこの操作に応じて、ユーザ送信部２０３は、課金システム１等に、予約画面を表示するための情報を要求を送信し、この要求に応じて、課金システム１等が送信する予約画面を表示する情報等を、ユーザ受信部２０１が受信する。ユーザ表示部２０４は、受信した情報を用いて予約画面をモニタ（図示せず）に表示し、ユーザが、予約を行うために、ユーザ識別子と、予約対象となる移動手段関連対象の対象識別子と、予約する日時である予約日時等を予約画面に入力すると、ユーザ受付部２０２がこの入力を受け付け、受け付けた情報を有する予約情報を、課金システム１に送信する。
【０１２０】
なお、サービス提供者が提供するサービスの利用料金の支払の際に、ユーザ送信部２０３は、ユーザ端末２０の図示しない格納部に格納されている支払に利用可能なクレジットカード番号やユーザ識別子等の情報を、ユーザ受付部２０２が受け付けた操作等に応じて、支払先となるサービス提供者が利用する提供者サーバ装置３０に送信するようにしてもよい。
【０１２１】
また、ユーザ受付部２０２は、予約識別子を有する予約を確認する情報を、課金装置１０等から受信し、受信した情報を、図示しない格納部等に蓄積してもよい。
【０１２２】
次に、提供者サーバ装置３０の動作の一例について説明する。
サービス提供者が、提供するサービスを利用したユーザから、このサービスの利用に対する支払等を受けた後に、この支払を行ったユーザのユーザ識別子を提供者サーバ装置３０に対して入力すると、提供者受付部３０１が入力されたユーザ識別子を受け付け、提供者管理情報送信部３０２は、提供者受付部３０１が受け付けたユーザ識別子と、図示しない格納部等から読み出した提供者サーバ装置３０を利用するサービス提供者のサービス提供者識別子と、を有する提供者管理情報を、課金装置１０に送信する。
【０１２３】
なお、提供者受付部３０１によるユーザ識別子の受け付けは、どのように行っても良い。例えば、提供者受付部３０１は、ユーザ識別子を図示しない入力デバイス等を介して受け付けても良い。また、例えば、予め、提供者サーバ装置３０の図示しない格納部等に、支払を行うユーザのユーザ識別子が格納されている場合、このユーザのユーザ識別子を格納部から読み出して受け付けるようにしてもよい。また、ユーザ端末２０のユーザ送信部２０３が送信する図示しない格納部に格納されているユーザ識別子を、提供者受付部３０１が受信するようにしてもよい。
【０１２４】
（具体例）
以下、本実施の形態における課金システム１の具体的な動作について説明する。情報処理システム１の概念図は図３である。ここでは、移動手段関連対象が、カーシェアリングである場合について説明する。このカーシェアリングに利用される自動車の１つが自動車５０であるとする。また、ユーザ端末２０ａは、カーシェアリングを利用するユーザ（ここではユーザＡとする）が所持するいわゆるスマートフォンであるとする。また、課金装置１０が、カーシェアリングの予約等の管理も行う装置であるとする。また、提供者サーバ装置３０ａを利用するサービス提供者が、ゴルフ場（ここでは、ゴルフ場Ｂとする）を経営する会社であるとする。なお、図示を省略しているが、情報処理システム１は、ユーザ端末２０ａ以外の１以上のユーザ端末２０、および提供者サーバ装置３０ａ以外の１以上の提供者サーバ装置３０を有していてもよい。また、図示を省略しているが、カーシェアリング用の自動車は、上記の自動車５０以外にも１以上存在しているものとする。
【０１２５】
まず、ユーザＡが、カーシェアリング用の自動車を予約するために、ユーザ端末２０に、会社Ｂの自動車を予約するための予約画面を表示するための操作を行ったとすると、ユーザ受付部２０２がこの操作を受け付け、ユーザ送信部２０３がこの操作に応じて、課金装置１０に予約画面を表示するための情報の送信を要求する情報を送信する。課金装置１０の受信部（図示せず）がこの要求を受信すると、課金装置１０の送信部（図示せず）が、この要求に応じて、図示しない格納部等に格納された情報等を用いて予約画面を表示するための情報を取得し、ユーザ端末２０ａに送信する。ユーザ端末２０ａのユーザ受信部２０１がこの予約画面を表示するための情報を受信すると、ユーザ表示部２０４は、予約画面をユーザ端末２０ａのモニタに表示する。
【０１２６】
ユーザＡが表示された予約画面を用いて、ユーザＡのユーザ識別子「Ｕ００１」と、「５月３日」の「６時から１８時まで」の期間を予約することを指定する予約日時と、予約対象であるカーシェアリング用の自動車５０の対象識別子「ＣＳ１２１」を入力し、予約を行う操作を行うと、ユーザ受付部２０２が入力されたこれらの情報を、予約情報として、課金装置１０に送信する。
【０１２７】
課金装置１０の予約情報受信部１０８が、ユーザ端末２０ａから、上記の予約情報を受信すると、対象管理情報蓄積部１０９は、受信した予約情報について予約識別子「１５３」を取得し、取得した予約識別子を受信した予約情報に追記した予約情報を生成し、この予約情報を、予約識別子を対象管理識別子として有する対象管理情報として対象管理情報格納部１０１に蓄積する。ここでの予約識別子は予約情報受信部１０８が受信した予約情報の受信順番を示す予約番号であるとする。課金装置１０の図示しない出力部等が、この予約識別子「１５３」を含む予約情報を、予約の確認を示す情報として、ユーザ端末２０ａ等に送信する。ユーザ端末２０ａのユーザ受信部２０１は、この予約の確認を示す情報を受信して、図示しない格納部等に蓄積する。この予約の確認を示す情報は、予約識別子「１５３」を有する情報である。
【０１２８】
図４は、対象管理情報格納部１０１に格納されている対象管理情報を管理する対象管理表を示す図である。対象管理表は、「管理ＩＤ」、「ユーザＩＤ」、「対象ＩＤ」、「予約日」、「予約時間帯」、および「課金済」という属性を有している。「管理ＩＤ」は、対象管理識別子であり、ここでは、予約識別子である。「ユーザＩＤ」はユーザ識別子、「対象ＩＤ」は対象識別子である。「予約日」は予約日時のうちの予約日であり、「予約時間帯」は予約日時のうち予約時間帯である。「課金済」は、予約情報が示す移動手段関連対象の利用について課金が終了したか否かを示すフラグ等の情報であり、ここでは、値が「１」であれば、課金が終了しており、値がＮｕｌｌ（すなわち空欄）であれば、課金が終了していないことを示す。なお、対象管理表において、各行（各レコード）が、各対象管理情報を示している。上記で対象管理情報蓄積部１０９が蓄積した対象管理情報は、図４の最も下方に位置するレコードであるとする。
【０１２９】
ユーザＡは、対象識別子が「ＣＳ１２１」である自動車を予約した予約日時の予約開始時刻に、対象識別子が「ＣＳ１２１」である自動車が駐車されている駐車場に移動し、この対象識別子が「ＣＳ１２１」である自動車のドアロック等を解除する操作等を行ってドアを開けてこの自動車に乗り、この自動車を運転して、ゴルフ場Ｂに向かって移動を開始したとする。
【０１３０】
ユーザＡは、ゴルフ場Ｂに到着後、ゴルフ場Ｂの駐車場に上記の自動車５０を駐車し、ゴルフ場Ｂを利用してゴルフを行ったとする。そして、ゴルフの終了後、クレジットカードでゴルフ場Ｂの利用料金を支払ったとする。この支払の際に、ユーザＡが、上記で予約時に入力したユーザ識別子と同じユーザ識別子「Ｕ００１」を、ゴルフ場Ｂの会計担当者に伝えたとする。
【０１３１】
ゴルフ場Ｂの会計担当者が、ユーザＡから聞いたユーザ識別子「Ｕ００１」を、提供者サーバ装置３０ａの入力画面に入力する操作を行うと、提供者受付部３０１がこの操作を受け付ける。なお、ユーザ識別子を会計担当者等に伝える代わりに、例えば、ユーザ端末２０を操作して、ユーザ端末２０に格納されているユーザ識別子「Ｕ００１」を、提供者サーバ装置３０ａに送信するようにし、この送信されたユーザ識別子を、提供者受付部３０１が受け付けるようにしても良い。
【０１３２】
提供者受付部３０１が、ユーザ識別子の入力操作を受け付けると、提供者管理情報送信部３０２は、図示しない格納部に予め格納されているサービス提供者であるゴルフ場Ｂを経営する会社のサービス提供者識別子である「Ｓ２０１」を読み出し、このサービス提供者識別子「Ｓ２０１」と、上記の入力操作で受け付けたユーザ識別子「Ｕ００１」とを有する提供者管理情報を課金装置１０に送信する。
【０１３３】
課金装置１０の提供者受信部１０２は、提供者サーバ装置３０からこの提供者管理情報を受信すると、受信した提供者管理情報を、提供者管理情報格納部１０３に蓄積する。
【０１３４】
図５は、提供者管理情報格納部１０３に格納されている提供者管理情報を管理する提供者管理表を示す図である。提供者管理表は、ユーザ識別子である「ユーザＩＤ」、サービス提供者識別子である「サービス提供者ＩＤ」と、このユーザ識別子が示すユーザが利用した移動手段関連対象についての課金が終了したか否かを示す情報である「利用不可」と、サービス提供者に支払が行われた日付を示す「日付」という属性を有している。「利用不可」は、この提供者管理情報が課金の処理に利用可能であるか否かを示すフラグ等の情報であり、ここでは、値が「１」であれば、利用が不可であり、値がＮｕｌｌ（すなわち空欄）であれば、利用が可能であることを示す。また、「日付」は、ここでは、提供者管理情報を受信した日付であるとする。なお、ここでは、一例として、提供者管理情報を用いて課金処理、具体的には、利用料金の少なくとも一部をサービス提供者に課金するための課金処理が行われた場合、および「日付」の属性値が、現在の日付よりも過去の日付となった場合に、「利用不可」の値が「１」に設定されるようにする。ただし、「利用不可」の値を「１」に設定するタイミングやトリガー等は、上記に限定されるものではない。利用料金の少なくとも一部をサービス提供者に課金するための課金処理が行われた場合、および、「日付」の属性値が、現在の日付よりも過去の日付となった場合のいずれの場合においても、「利用不可」の値を「１」に設定しないようにして、サービス提供者に対する課金が、複数回行われるようにしたり、過去の日付であっても行われるようにしても良い。ここでは各行（各レコード）が、各提供者管理情報に対応しているものと考える。なお、「日付」の属性値は省略して、他の手段等により、現在の日付よりも過去の日付に受信した提供者管理情報を利用不可としてもよい。
【０１３５】
ユーザＢが、ゴルフ場Ｂを出て、ゴルフ場Ｂの駐車場から自動車５０の返却場所まで、自動車５０に乗って移動したとする。返却場所は、例えば、カーシェアリングの開始時に自動車５０が駐車されていた場所である。そして、ユーザＢが、ユーザ端末２０ａに対し、上記で予約した自動車５０の利用が終了したことを示す情報を課金装置１０に送信する操作を行ったとする。この操作は、例えば、上述した予約識別子「１５３」を有する情報を課金装置１０に送信するための操作である。例えば、この操作は、上述したユーザ端末２０ａに格納されている予約識別子「１５３」を有する予約の確認を示す情報について返信を行う操作であってもよく、この予約の確認を示す情報が有する予約識別子「１５３」を課金装置１０に対して送信する操作であってもよい。ユーザ受付部２０２がこの操作を受け付けると、ユーザ送信部２０３が、この予約識別子「１５３」を有する移動対象利用情報を課金装置１０に対して送信する。この予約識別子は、ユーザ対象組指定情報として用いられる。
【０１３６】
移動対象利用受信部１０４がユーザ端末２０ａから送信される上記の移動対象利用情報を受信すると、課金処理部１０５は、受信した移動対象利用情報が有するユーザ対象組指定情報に対応するユーザ識別子と対象識別子との組を有する対象管理情報が、対象管理情報格納部１０１に格納されているか否かを判断する。ここでは、ユーザ対象組指定情報が予約識別子「１５３」であるため、課金処理部１０５は、図４に示した対象管理表において、「予約ＩＤ」の属性値が「１５３」である対象管理情報のレコード（行）であって、「課金済」の値が「１」ではないレコード（行）を検索する。ここでは、このような条件を満たす対象管理情報のレコードが１つ検出されたとする。課金処理部１０５は、検出した「予約ＩＤ」の属性値が「１５３」であるレコードから、「予約時間帯」の属性値である「６時から１８時まで」を取得し、この属性値が示す予約終了時刻「１８時」から、予約開始時刻「６時」を減算して、移動手段関連対象を予約した予約時間である「１２時間」を取得する。ここでは、この予約時間を、移動手段関連対象の利用時間として取得する。
【０１３７】
課金処理部１０５は、図示しない格納部に格納されている移動手段関連対象の１時間当たりの利用料金である「７００円」を取得する。そして、上記で取得した利用時間である「１２時間」にこの１時間当たりの利用料金「７００円」を乗算して、利用料金「８３００円」を取得する。
【０１３８】
次に、課金処理部１０５は、上記の検索により検出した対象管理表「予約ＩＤ」が「１５３」であって、「課金済」が「１」でないレコードから、「ユーザＩＤ」の属性値であるユーザ識別子「Ｕ００１」と「予約日」の属性値である予約日「５月３日」を取得する。そして、図５に示した提供者管理表において、「ユーザＩＤ」が「Ｕ００１」であるレコードであって、「利用不可」の属性値が「１」ではなく、「日付」の属性値が上記の予約日「５月３日」と一致するレコードを検索する。ここでは、例えば、この条件を満たすレコードが検出されたとする。
【０１３９】
図６は、ユーザ属性格納部１０６に格納されているユーザ属性管理情報を管理するユーザ属性管理表である。ここでは、各レコード（行）が、各ユーザ属性管理情報に対応している。ユーザ属性管理表は、「ユーザＩＤ」と「サービス提供者ＩＤ」と「ユーザ属性」という属性を有している。「ユーザＩＤ」は、上記と同様のユーザ識別子である。「サービス提供者ＩＤ」は、上記と同様のサービス提供者識別子である。「ユーザ属性」は、ユーザ属性情報である。このユーザ属性情報は、例えば、各サービス提供者がそれぞれ提供するサービスを利用する場合におけるユーザの属性を示す情報である。このユーザ属性情報は、例えば、各サービス提供者がそれぞれ提供するサービスを利用するユーザのステータスを示す情報である。例えば、「ユーザ属性」のうちの「ゴルフ場Ｂ会員」は、ユーザが、ゴルフ場Ｂの会員であることを示すユーザ属性情報である。また、「ゴルフ場Ｂビジター」は、ゴルフ場Ｂの非会員（ビジター）であることを示すユーザ属性情報である。
【０１４０】
図７は、属性料金格納部１０７に格納されている属性料金管理情報を管理する属性料金管理表である。ここでは、各レコード（行）が、各属性料金管理情報に対応している。属性料金管理表は、「ユーザ属性」と、「料金決定」という属性を有している。「ユーザ属性」は、図６の「ユーザ属性」と同様のものである。「料金決定」は料金決定情報である。ここでは、利用料金のうちの、サービス提供者に課金する金額の比率（％）を表している。
【０１４１】
課金処理部１０５は、上記において、図５に示した提供者管理表から検出された「ユーザＩＤ」が「Ｕ００１」であるレコードであって、「利用不可」の属性値が「１」ではなく、「日付」が「５月３日」であるレコードから、「ユーザＩＤ」の属性値である「Ｕ００１」と「サービス提供者ＩＤ」の属性値である「Ｓ２０１」とを取得し、図６に示したユーザ属性管理表において、「ユーザＩＤ」の属性値と「サービス提供者ＩＤ」の属性値との両方がこれらと同じレコード（行）を検出する。そして、検出したレコードの「ユーザ属性」の属性値である「ゴルフ場Ｂ会員」をユーザ属性情報として取得する。
【０１４２】
さらに、課金処理部１０５は、図７に示した属性料金管理表において、「ユーザ属性」の属性値が、上記で取得した「ゴルフ場Ｂ会員」であるレコードを検出し、検出したレコード「料金決定」の属性値である料金決定情報「５０％」を取得する。
【０１４３】
また、課金処理部１０５は、図５に示した提供者管理表の、「ユーザＩＤ」が「Ｕ００１」であり、「利用不可」の属性値が「１」ではなく、「日付」が「５月３日」であるレコードの「サービス提供者ＩＤ」の属性値であるサービス提供者識別子「Ｓ２０１」を取得する。
【０１４４】
課金処理部１０５は、上記で取得した利用料金「８４００円」のうちの、ここで取得した料金決定情報「５０％」が示す比率の利用料金である「４２００円」を、ユーザＡによるカーシェアリングの利用料金の少なくとも一部であるサービス提供者識別子「Ｓ２０１」が示すサービス提供者に対して課金する利用料金に決定する。
【０１４５】
また、課金処理部１０５は、サービス提供者識別子「Ｓ２０１」が示すサービス提供者に対して課金する金額「４２００円」を、上記で取得した利用料金「８３００円」から減算した金額「４２００円」を、対象管理表の、「予約ＩＤ」が「１５３」であって、「課金済」が「１」でないレコードから取得したユーザ識別子「Ｕ００１」が示すユーザに対して課金する利用料金に決定する。
【０１４６】
なお、仮に、図６に示したユーザ属性管理表から取得したユーザ属性情報が「ゴルフ場Ｂ優良会員」である場合、料金決定情報の値は、「８０％」となるため、サービス提供者に課金される利用料金が「６７２０円」となり、ユーザに課金される利用料金が「１６８０円」となる。なお、料金決定情報の値が「１００％」である場合のように、ユーザに課金される利用料金が「０円」となる場合、ユーザに対して課金処理は行わないようにしてよい。ただし、この場合も、利用料金のうちの、サービス提供者に課金した金額を除いた残りをユーザに対して課金したと考えるようにしてもよい。
【０１４７】
図８（ａ）は、課金装置１０の図示しない格納部等に予め格納されているユーザに対して課金を行なう際に用いられるユーザ課金用情報を管理するユーザ課金用管理表である。ユーザ課金用管理表は、「ユーザＩＤ」と「課金用」とを有している。「ユーザＩＤ」は、上記と同様のユーザ識別子であり、「課金用」はユーザ課金用情報を示している。ここではユーザ課金用情報がユーザのクレジットカード番号である場合を例に挙げて示している。ただし、ユーザ課金用情報は、課金に用いられる利用料金以外の情報であれば、クレジットカード番号以外であってもよい。
【０１４８】
図８（ｂ）は、課金装置１０の図示しない格納部等に予め格納されているサービス提供者に対して課金を行なう際に用いられる提供者課金用情報を管理する提供者課金用管理表である。提供者課金用管理表は、「サービス提供者ＩＤ」と「課金用」とを有している。「サービス提供者ＩＤ」は、上記と同様のサービス提供者識別子であり、「課金用」は提供者課金用情報を示している。ここでは提供者課金用情報がサービス提供者のクレジットカード番号である場合を例に挙げて示している。ただし、提供者課金用情報は、課金に用いられる利用料金以外の情報であれば、クレジットカード番号以外の情報であってもよい。例えば、請求書の発行先の住所等であってもよい。
【０１４９】
課金処理部１０５は、ユーザ識別子が「Ｕ００１」であるユーザに、上記で決定した金額「４２００円」を課金するために、図８（ａ）に示したユーザ課金用管理表から、「ユーザＩＤ」の属性値が「Ｕ００１」であるレコードを検出し、検出したレコードの「課金用」の属性値であるクレジットカード番号「４３２１８７６５…」をユーザ課金用情報として取得し、このクレジットカード番号に対して金額「４２００円」を課金するための課金処理を行う。例えば、課金処理部１０５は、このクレジットカード番号と、金額とを、課金に用いられる情報として図示しない課金処理を行うサーバ装置等に送信する。
【０１５０】
課金処理部１０５は、サービス提供者識別子が「Ｓ２０１」であるサービス提供者に、上記で決定した金額「４２００円」を課金するために、図８（ｂ）に示した提供者課金用管理表から、「サービス提供者ＩＤ」の属性値が「Ｓ２０１」であるレコードを検出し、検出したレコードの「課金用」の属性値であるクレジットカード番号「５４３２７６５４…」を提供者課金用情報として取得し、このクレジットカード番号に対して金額「４２００円」を課金するための課金処理を行う。例えば、課金処理部１０５は、このクレジットカード番号と、金額とを、課金に用いられる情報として図示しない課金処理を行うサーバ装置等に送信する。
【０１５１】
これにより、ユーザＡのカーシェアリング用の自動車５０の利用料金の少なくとも一部（ここでは、５０％）を、ユーザＡが利用したサービスであるゴルフ場Ｂを提供するサービス提供者に課金し、残りの利用料金を、ユーザＡに課金するための課金に関する処理を行うことができる。
【０１５２】
なお、上記において、図５に示した提供者管理表において、「ユーザＩＤ」が「Ｕ００１」であるレコードであって、「利用不可」の属性値が「１」ではなく、「日付」が「５月３日」であるレコードを検索した際に、この条件を満たすレコードが検出されなかった場合、課金処理部１０５は、上記で算出した利用料金「８３００円」の全てを、ユーザ識別子が「Ｕ００１」であるユーザに課金するための課金処理を行うようにすればよい。
【０１５３】
以上、本実施の形態によれば、課金処理部１０５が、提供者受信部１０２が課金対象となる移動手段関連対象のユーザのユーザ識別子を有する提供者管理情報を受信した場合に、移動手段関連対象の利用料金の少なくとも一部を提供者管理情報が有する提供者識別子が示すサービス提供者に課金するための課金処理を行うようにしたことにより、提供者が提供するサービスをユーザが利用した場合に、移動手段関連対象の利用料金のユーザに対する負担が減るため、移動手段関連対象の利用と、他のサービスの利用とを連携させて促進させることができる。
【０１５４】
なお、上記具体例等においては、予約した移動手段関連対象の利用が終了した場合に、この移動手段関連対象の利用に関する課金処理を行うようにしたが、移動手段関連対象の予約時に課金処理を行うようにしてもよい。この場合、上記と同様に予約情報受信部１０８が受信した予約情報を対象管理情報として対象管理情報格納部１０１に蓄積するとともに、提供者受信部１０２が、提供者管理情報を受信する毎に、この提供者管理情報が示すユーザ識別子と一致するユーザ識別子を有する予約情報である対象管理情報が、対象管理情報格納部１０１に格納されているか否かを、課金処理部１０５が判断するようにし、格納されている場合に、一致すると判断された提供者管理情報が有するユーザ識別子が示すユーザに対して予約時に課金した利用情報の少なくとも一部を、一致すると判断された提供者管理情報が有するサービス提供者識別子が示すサービス提供者に対して課金するための課金処理を行うようにし、この少なくとも一部の利用料金が、予約時にユーザに課金した利用料金から結果的に減額されるように、減額する処理を行ったり、課金する利用料金を訂正したり、減額分の利用料金を返金する処理を行ったりするようにしてもよい。
【０１５５】
また、対象管理情報格納部１０１に格納されている対象管理情報が、対応する移動手段関連対象についての課金処理が終了した対象管理情報である場合、課金処理部１０５は、提供者受信部１０２が提供者管理情報を受信する毎に、受信した提供者管理情報が有するユーザ識別子と、一致するユーザ識別子を有する課金処理が終了した対象管理情報が、対象管理情報格納部１０１に格納されているか否かを判断し、格納されている場合に、上記と同様に、一致すると判断された提供者管理情報が有するユーザ識別子が示すユーザに対して予約時に課金した利用情報の少なくとも一部を、一致すると判断された提供者管理情報が有するサービス提供者識別子が示すサービス提供者に対して課金するための課金処理を行うようにし、この少なくとも一部の利用料金が、予約時にユーザに課金した利用料金から結果的に減額されるように、減額処理を行ったり、課金する利用料金を訂正したり、減額分の利用料金を返金する処理を行ったりするようにしてもよい。また、このような場合、移動対象利用受信部１０４や、移動対象利用情報等が不要であれば、これらは省略しても良い。
【０１５６】
また、上記実施の形態において、対象管理情報格納部１０１に格納される対象管理情報が予約情報等である場合、対象管理情報が蓄積された場合や、対象管理情報が有する予約日時が示す予約開始日時となった場合や、対象管理情報が有する予約日時が示す予約終了日時となった場合に、課金処理部１０５は、対象管理情報格納部１０１に格納されている対象管理情報が有する対象識別子が示す移動手段関連対象を、この対象管理情報が有するユーザ識別子が示すユーザが利用すると、判断して、課金処理を行うようにしても良い。また、毎日の予め決められた時刻や、毎週や毎月の予め決められた日時等に、課金処理部１０５は、対象管理情報格納部１０１に格納されている対象管理情報が有する対象識別子が示す移動手段関連対象を、この対象管理情報が有するユーザ識別子が示すユーザが利用すると、判断して、課金処理を行うようにしても良い。また、このような場合においても、課金処理が行われる際に、課金処理の対象となる各対象管理情報が有するユーザ識別子と同じユーザ識別子を有する提供者管理情報を提供者受信部１０２が受信したか否か（例えば、受信しているか否か）を、課金処理部１０５が提供者管理情報格納部１０３に格納された提供者管理情報等を用いて上記実施の形態と同様に判断するようにしてもよい。なお、このような場合、移動対象利用受信部１０４や、移動対象利用情報等は、省略しても良い。
【０１５７】
また、上記具体例等においては、予約に関連した処理を課金装置１０において行う場合を例に挙げて説明したが、予約に関連した処理を、課金装置１０が行わないようにして、課金装置１０およびユーザ端末２０と情報の通信が可能な予約用のサーバ装置等が行うようにしても良い。例えば、対象管理情報が予約情報でなくてもよく、移動対象利用受信部１０４が受信した移動対象利用情報等が有する情報を有する対象管理情報が、対象管理情報格納部１０１に蓄積されるようにしてもよい。また、予約に関連した処理を行わない場合、予約情報を受信する予約情報受信部１０８や、予約情報を用いて取得した対象管理情報を蓄積する対象管理情報蓄積部１０９等は省略しても良い。このように、予約時に課金した利用料金を減額することで、結果的に、ユーザに課金する利用料金を、サービス提供者に課金する利用料金を除いた利用料金とするようにしてもよい。
【０１５８】
なお、上記実施の形態において、課金処理部１０５は、提供者受信部１０２が、課金対象となる移動手段関連対象を利用するユーザのユーザ識別子を有する提供者管理情報を受信した場合であって、この移動手段関連対象の利用料金の少なくとも一部をこの提供者管理情報が有する提供者識別子が示すサービス提供者が、この少なくとも一部の課金を許可する場合にのみ、サービス提供者に、この利用料金の少なくとも一部を課金するようにしてもよい。例えば、課金処理部１０５は、移動手段関連対象の利用料金の少なくとも一部をサービス提供者に課金する際（例えば、課金する前）に、サービス提供者が課金を許可するか否かを判断し、許可した場合に、このサービス提供者に、この利用料金の少なくとも一部を課金するようにしてもよい。課金を許可する場合とは、課金を承諾する場合と考えてもよい。課金を許可する場合とは、例えば、サービス提供者が課金を許可するための予め指定された動作や操作を行なった場合や、この動作や操作に応じて提供者サーバ装置３０から課金を許可するための指示を受信した場合である。また、課金を許可する場合とは、例えば、利用料金が課金されるユーザが、サービス提供者が利用料金の少なくとも一部の課金を許可しているユーザであると判断した場合であってもよい。この具体例としては、利用料金が課金されるユーザが、サービス提供者が提供する会員制度の会員であるか否かを判断し、会員であると判断された場合である。
【０１５９】
例えば、課金処理部１０５は、移動手段関連対象の利用料金の少なくとも一部をこの提供者管理情報が有する提供者識別子が示すサービス提供者に課金する際に、図示しない送信部を介して、このサービス提供者が利用する提供者サーバ装置３０に、この提供者管理情報が有するユーザ識別子を含む情報（例えば、ユーザ識別子と、課金される金額等を有する情報）を送信する。提供者サーバ装置３０は、このユーザ識別子を含む情報を図示しない受信部等を用いて受信すると、図示しない処理部が、受信したユーザ識別子等が、予め図示しない格納部に格納されている登録された一以上の会員のユーザ識別子のいずれか１つと一致するか判断し、一致する場合に、図示しない送信部から、サービス提供者が課金を許可する情報を課金装置１０に送信する。一致するものがない場合、例えば、課金を許可しない情報を課金装置１０に送信してもよい。課金装置１０の図示しない受信部が、この課金を許可する情報を提供者サーバ装置３０から受信すると、課金処理部１０５は、このサービス提供者に移動手段関連対象の利用料金の少なくとも一部を課金する処理を行い、ユーザに残りの利用料金を課金する処理を行う。なお、例えば、課金装置１０の図示しない受信部が、課金を許可しない情報を受信した場合は、課金処理部１０５は、サービス提供者に課金を行わず、ユーザにのみ課金を行うようにする。
【０１６０】
なお、提供者サーバ装置３０において行われる処理は、上記のような処理に限定されるものではなく、例えば、受信したユーザ識別子が示すユーザの利用料金の少なくとも一部の課金を許可するか否かを問い合わせる画面等を図示しないモニタ等に表示し、課金を許可する操作を受け付けた場合に、上記と同様に課金を許可する情報を送信するようにしてもよい。この場合も、課金を許可する操作を受け付けなかった場合には、課金を許可しない情報を送信しても良い。
【０１６１】
なお、本実施の形態において、異なる種類の移動手段関連対象の対象識別子を有する対象管理情報が対象管理情報格納部１０１に格納されてもよいことはいうまでもない。
【０１６２】
なお、上記各実施の形態において、各処理（各機能）は、単一の装置（システム）によって集中処理されることによって実現されてもよく、あるいは、複数の装置によって分散処理されることによって実現されてもよい。
【０１６３】
また、上記各実施の形態において、一の装置に存在する２以上の通信手段（情報送信部など）は、物理的に一の媒体で実現されても良いことは言うまでもない。
【０１６４】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１６５】
また、上記各実施の形態では、課金装置がスタンドアロンである場合について説明したが、課金装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１６６】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１６７】
なお、上記各実施の形態における課金装置を実現するソフトウェアは、以下のようなプログラムである。つまり、このプログラムは、移動手段に関連した移動手段関連対象の対象識別子と、当該対象識別子が示す移動手段関連対象を利用するユーザのユーザ識別子と、を有する対象管理情報が格納される対象管理情報格納部にアクセス可能なコンピュータを、ユーザ識別子と、当該ユーザ識別子が示すユーザが利用するサービスの提供者のサービス提供者識別子とを有する提供者管理情報を受信する提供者受信部と、対象管理情報格納部に格納されている対象管理情報が有する対象識別子が示す移動手段関連対象を、当該対象管理情報が有するユーザ識別子が示すユーザが利用する場合に、移動手段関連対象の利用料金の課金関する処理である課金処理を行う課金処理部として機能させ、課金処理部は、提供者受信部が、課金対象となる移動手段関連対象を利用するユーザのユーザ識別子を有する提供者管理情報を受信した場合に、当該移動手段関連対象の利用料金の少なくとも一部を当該提供者管理情報が有する提供者識別子が示すサービス提供者に課金し、当該一部を除いた利用料金を当該移動手段関連対象を利用するユーザに課金するための課金処理を行うプログラムである。
【０１６８】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１６９】
また、このプログラムを実行するコンピュータは、単数であってもよく、複数であってもよい。すなわち、集中処理を行ってもよく、あるいは分散処理を行ってもよい。
【０１７０】
図９は、上記プログラムを実行して、上記実施の形態による課金装置を実現するコンピュータの外観の一例を示す模式図である。上記実施の形態は、コンピュータハードウェア及びその上で実行されるコンピュータプログラムによって実現されうる。
【０１７１】
図９において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０１７２】
図１０は、コンピュータシステム９００の内部構成を示す図である。図１０において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１７３】
コンピュータシステム９００に、上記実施の形態による課金装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０１７４】
プログラムは、コンピュータ９０１に、上記実施の形態による課金装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１７５】
本発明は、以上の実施の形態に限定されることなく、種々の変更が可能であり、それらも本発明の範囲内に包含されるものであることは言うまでもない。
【産業上の利用可能性】
【０１７６】
以上のように、本発明にかかる課金装置等は、課金を行う装置として適しており、特に、移動手段関連対象の利用料金の課金を行う装置等として有用である。
【符号の説明】
【０１７７】
１  課金システム
１０  課金装置
２０、２０ａ〜２０ｃ  ユーザ端末
３０、３０ａ〜３０ｃ  提供者サーバ装置
５０  自動車
１０１  対象管理情報格納部
１０２  提供者受信部
１０３  提供者管理情報格納部
１０４  移動対象利用受信部
１０５  課金処理部
１０６  ユーザ属性格納部
１０７  属性料金格納部
１０８  予約情報受信部
１０９  対象管理情報蓄積部
２０１  ユーザ受信部
２０２  ユーザ受付部
２０３  ユーザ送信部
２０４  ユーザ表示部
３０１  提供者受付部
３０２  提供者管理情報送信部
【図１】
2020194235.tif 000003
【図２】
2020194235.tif 000004
【図３】
2020194235.tif 000005
【図４】
2020194235.tif 000006
【図５】
2020194235.tif 000007
【図６】
2020194235.tif 000008
【図７】
2020194235.tif 000009
【図８】
2020194235.tif 000010
【図９】
2020194235.tif 000011
【図１０】
2020194235.tif 000012